(57)【要約】  無線通信機器のために準非間欠受信モードを実装するための、機器、方法、およびシステムが、本明細書で説明される。いくつかの実施形態によれば、準非間欠受信モードがネットワークによってサポートされることが判定される場合、無線通信機器は準非間欠受信モードに入ることができる。無線通信機器のページングインデックスに対応するマルチフレーム上のページングブロックが、監視される。他の態様、実施形態、および特徴も、説明され、特許請求される。
2015501618.tif 000002
【特許請求の範囲】
【請求項１】
無線通信機器のための準非間欠受信モードを実行する方法であって、
準非間欠受信モードがネットワークによってサポートされていると判定するステップと、
準非間欠受信モードに入るステップと、
前記無線通信機器のページングインデックスに対応するマルチフレーム上のページングブロックを監視するステップと、を有する方法。
【請求項２】
前記マルチフレームが51マルチフレームである請求項1に記載の方法。
【請求項３】
前記無線通信機器のページンググループに対応する前記ページングブロックが、報知パラメータによって決定される請求項1に記載の方法。
【請求項４】
前記無線通信機器のページンググループに対応する前記ページングブロックが、前記無線通信機器の国際移動体加入者識別番号によって決定される請求項1に記載の方法。
【請求項５】
準非間欠受信タイマーを始動するステップと、
前記準非間欠受信タイマーが満了したと判定するステップと、
間欠受信モードに入るステップと、
前記マルチフレーム上の報知制御チャネルブロックを監視するステップと、
前記無線通信機器のページングインデックスおよびページンググループに対応する前記マルチフレーム上の無線ブロックのみを監視するステップと、
をさらに有する請求項1に記載の方法。
【請求項６】
前記準非間欠受信タイマーが、NON-DRX-TIMER-MAXパラメータとNON-DRX-TIMERパラメータの最小値である請求項5に記載の方法。
【請求項７】
前記準非間欠受信タイマーが、SEMI-NON-DRX-TIMER-MAXパラメータとSEMI-NON-DRX-TIMERパラメータの最小値である、請求項5に記載の方法。
【請求項８】
前記準非間欠受信タイマーが、NON-DRX-TIMER-MAXパラメータとSEMI-NON-DRX-TIMERパラメータの最小値である請求項5に記載の方法。
【請求項９】
前記準非間欠受信タイマーが、SEMI-NON-DRX-TIMER-MAXパラメータとNON-DRX-TIMERパラメータの最小値である請求項5に記載の方法。
【請求項１０】
前記準非間欠受信タイマーが、前記無線通信機器によってサポートされる第1の準非間欠受信タイマーと前記ネットワークによってサポートされる第2の準非間欠受信タイマーの最小値である請求項5に記載の方法。
【請求項１１】
前記準非間欠受信タイマーが前記ネットワークによって提供される請求項5に記載の方法。
【請求項１２】
前記準非間欠受信タイマーが固定されている請求項5に記載の方法。
【請求項１３】
前記準非間欠受信タイマーが新しいタイマーである請求項5に記載の方法。
【請求項１４】
準非間欠受信モードの使用を示す無線リンク制御メッセージまたはメディアアクセス制御メッセージを受信するステップを、さらに有する請求項1に記載の方法。
【請求項１５】
前記無線通信機器によって実行される請求項1に記載の方法。
【請求項１６】
無線通信ネットワークのための準非間欠受信モードを実行する方法であって、
無線通信機器へのデータ送信要求を受信するステップと、
前記無線通信ネットワークおよび前記無線通信機器が準非間欠受信モードをサポートすると判定するステップと、
前記無線通信機器が準非間欠受信モードにあると判定するステップと、
前記無線通信機器のページングインデックスに対応するページングブロックを通じて割り当てを前記無線通信機器に送信するステップと、
前記無線通信機器のページングインデックスに対応するページングブロックを通じてページを前記無線通信機器に送信するステップと、
を有する方法。
【請求項１７】
前記割り当てがマルチフレーム上で送信される請求項16に記載の方法。
【請求項１８】
前記マルチフレームが51マルチフレームである請求項17に記載の方法。
【請求項１９】
前記ページがマルチフレーム上で送信される請求項16に記載の方法。
【請求項２０】
接続の確立のための手順を行うステップを、さらに有する請求項16に記載の方法。
【請求項２１】
基地局によって実行される請求項16に記載の方法。
【請求項２２】
前記無線通信機器の現在の状態を維持するステップを、さらに有する請求項16に記載の方法。
【請求項２３】
準非間欠受信モードの使用を示す無線リンク制御メッセージまたはメディアアクセス制御メッセージを送信するステップを、さらに有する請求項16に記載の方法。
【請求項２４】
準非間欠受信モードを実行するように構成される無線機器であって、
プロセッサと、
前記プロセッサと電子的に通信しているメモリと、
前記メモリに記憶される命令と、を有し、
前記命令が、前記プロセッサによって、
準非間欠受信モードがネットワークによってサポートされていると判定し、
準非間欠受信モードに入り、
無線通信機器のページングインデックスに対応するマルチフレーム上のページングブロックを監視すること、
が実行可能である無線機器。
【請求項２５】
前記マルチフレームが51マルチフレームである請求項24に記載の無線機器。
【請求項２６】
前記無線機器のページンググループに対応する前記ページングブロックが、報知パラメータによって決定される請求項24に記載の無線機器。
【請求項２７】
前記無線機器のページンググループに対応する前記ページングブロックが、前記無線機器の国際移動体加入者識別番号によって決定される請求項24に記載の無線機器。
【請求項２８】
前記命令がさらに、
準非間欠受信タイマーを始動し、
前記準非間欠受信タイマーが満了したと判定し、
間欠受信モードに入り、
前記マルチフレーム上の報知制御チャネルブロックを監視し、
前記無線機器のページングインデックスおよびページンググループに対応する前記マルチフレーム上の無線ブロックのみを監視すること、
が実行可能である請求項24に記載の無線機器。
【請求項２９】
前記準非間欠受信タイマーが、NON-DRX-TIMER-MAXパラメータとNON-DRX-TIMERパラメータの最小値である請求項28に記載の無線機器。
【請求項３０】
前記準非間欠受信タイマーが、SEMI-NON-DRX-TIMER-MAXパラメータとSEMI-NON-DRX-TIMERパラメータの最小値である請求項28に記載の無線機器。
【請求項３１】
前記準非間欠受信タイマーが、NON-DRX-TIMER-MAXパラメータとSEMI-NON-DRX-TIMERパラメータの最小値である請求項28に記載の無線機器。
【請求項３２】
前記準非間欠受信タイマーが、SEMI-NON-DRX-TIMER-MAXパラメータとNON-DRX-TIMERパラメータの最小値である請求項28に記載の無線機器。
【請求項３３】
前記準非間欠受信タイマーが、前記無線機器によってサポートされる第1の準非間欠受信タイマーと前記ネットワークによってサポートされる第2の準非間欠受信タイマーの最小値である請求項28に記載の無線機器。
【請求項３４】
前記準非間欠受信タイマーが前記ネットワークによって提供される請求項28に記載の無線機器。
【請求項３５】
前記準非間欠受信タイマーが固定されている請求項28に記載の無線機器。
【請求項３６】
前記準非間欠受信タイマーが新しいタイマーである請求項28に記載の無線機器。
【請求項３７】
前記命令がさらに、準非間欠受信モードの使用を示すための無線リンク制御メッセージまたはメディアアクセス制御メッセージを受信することが、実行可能である請求項24に記載の無線機器。
【請求項３８】
前記無線機器が無線通信機器である請求項24に記載の無線機器。
【請求項３９】
準非間欠受信モードを実行するように構成される無線機器であって、
プロセッサと、
前記プロセッサと電子的に通信しているメモリと、
前記メモリに記憶される命令と、を備え、
前記命令が、前記プロセッサによって、
無線通信機器へのデータ送信要求を受信し、
ネットワークおよび前記無線通信機器が準非間欠受信モードをサポートすると判定し、
前記無線通信機器が準非間欠受信モードにあると判定し、
前記無線通信機器のページングインデックスに対応するページングブロックを通じて割り当てを前記無線通信機器に送信し、
前記無線通信機器のページングインデックスに対応するページングブロックを通じてページを前記無線通信機器に送信すること、
が実行可能である無線機器。
【請求項４０】
前記割り当てを送信するための命令がさらに、
マルチフレーム上で前記割り当てを送信するための命令、
を含む、請求項39に記載の無線機器。
【請求項４１】
前記マルチフレームが51マルチフレームである請求項40に記載の無線機器。
【請求項４２】
前記ページを送信するための前記命令がさらに、マルチフレーム上で前記ページを送信するための命令、
を含む請求項39に記載の無線機器。
【請求項４３】
前記命令がさらに、接続の確立のための手順を行うこと、
が実行可能である請求項39に記載の無線機器。
【請求項４４】
前記無線機器が基地局である請求項39に記載の無線機器。
【請求項４５】
前記命令がさらに、前記無線通信機器の現在の状態を維持すること、
が実行可能である請求項39に記載の無線機器。
【請求項４６】
前記命令がさらに、準非間欠受信モードの使用を示すための無線リンク制御メッセージまたはメディアアクセス制御メッセージを送信すること、
が実行可能である請求項39に記載の無線機器。
【請求項４７】
無線通信機器のための準非間欠受信モードを実行させるためのコンピュータプログラムであって、
前記無線通信機器に、準非間欠受信モードがネットワークによってサポートされると判定させるためのコードと、
前記無線通信機器に、準非間欠受信モードへ入らせるためのコードと、
前記無線通信機器に、前記無線通信機器のページングインデックスに対応するマルチフレーム上のページングブロックを監視させるためのコードと、
を備えるコンピュータプログラム。
【請求項４８】
前記マルチフレームが51マルチフレームである請求項47に記載のコンピュータプログラム。
【請求項４９】
前記無線通信機器に、準非間欠受信タイマーを始動させるためのコードと、
前記無線通信機器に、前記準非間欠受信タイマーが満了したと判定させるためのコードと、
前記無線通信機器に、間欠受信モードへ入らせるためのコードと、
前記無線通信機器に、前記マルチフレーム上の報知制御チャネルブロックを監視させるためのコードと、
前記無線通信機器に、前記無線通信機器のページングインデックスおよびページンググループに対応する前記マルチフレーム上の無線ブロックのみを監視させるためのコードと、
をさらに備える請求項47に記載のコンピュータプログラム。
【請求項５０】
前記準非間欠受信タイマーが、SEMI-NON-DRX-TIMER-MAXパラメータとSEMI-NON-DRX-TIMERパラメータの最小値である請求項49に記載のコンピュータプログラム。
【請求項５１】
前記準非間欠受信タイマーが、前記無線通信機器によってサポートされる第1の準非間欠受信タイマーと前記ネットワークによってサポートされる第2の準非間欠受信タイマーの最小値である請求項49に記載のコンピュータプログラム。
【請求項５２】
前記準非間欠受信タイマーが前記ネットワークによって提供される請求項49に記載のコンピュータプログラム。
【請求項５３】
前記準非間欠受信タイマーが固定されている請求項49に記載のコンピュータプログラム。
【請求項５４】
無線通信ネットワークのための準非間欠受信モードを実行させるためのコンピュータプログラムであって、
無線機器に、無線通信機器へのデータ送信要求を受信させるためのコードと、
前記無線機器に、前記無線通信ネットワークおよび無線通信機器が準非間欠受信モードをサポートすると判定させるためのコードと、
前記無線機器に、前記無線通信機器が準非間欠受信モードにあると判定させるためのコードと、
前記無線機器に、前記無線通信機器のページングインデックスに対応するページングブロックを通じて割り当てを前記無線通信機器へ送信させるためのコードと、
前記無線機器に、前記無線通信機器のページングインデックスに対応するページングブロックを通じてページを前記無線通信機器へ送信させるためのコードと、
を含むコンピュータプログラム。
【請求項５５】
前記無線機器に割り当てを送信させるためのコードがさらに、前記無線機器にマルチフレーム上で前記割り当てを送信させるためのコード、
を含む請求項54に記載のコンピュータプログラム。
【請求項５６】
前記マルチフレームが51マルチフレームである請求項55に記載のコンピュータプログラム。
【請求項５７】
前記無線機器にページを送信させるための前記コードがさらに、前記無線機器にマルチフレーム上でページを送信させるためのコードを、
を含む請求項54に記載のコンピュータプログラム。
【請求項５８】
無線データを受信し送信するための通信インターフェースと、
前記通信インターフェースに動作可能に結合されたプロセッサと、
を備える無線機器であって、
前記プロセッサが、
準非間欠受信モードに入り、
無線通信機器のページングインデックスに対応するマルチフレーム上のページングブロックのページを監視するように構成され、
準非間欠受信モードにあるページが、非間欠受信モードにある場合よりも高い頻度で、かつ間欠受信モードにある場合よりも低い頻度で読み取られる無線機器。
【請求項５９】
前記プロセッサがさらに、前記無線通信機器のページングインデックスに対応するマルチフレーム上の報知制御チャネルのページを監視するように構成され、
前記報知制御チャネルのページが、準非間欠受信モードにおいて、非間欠受信モードにある場合よりも高い頻度で、かつ間欠受信モードにある場合よりも低い頻度で読み取られる請求項58に記載の無線機器。
【請求項６０】
前記マルチフレームが51マルチフレームである請求項58に記載の無線機器。
【請求項６１】
前記プロセッサがさらに、
準非間欠受信タイマーを始動し、
前記準非間欠受信タイマーが満了したと判定し、
非間欠受信モードと間欠受信モードのうちの1つに入るように構成される請求項58に記載の無線機器。
【請求項６２】
前記準非間欠受信タイマーがネットワークによって提供される請求項61に記載の無線機器。
【請求項６３】
前記準非間欠受信タイマーが固定されている請求項61に記載の無線機器。
【請求項６４】
前記無線機器が前記無線通信機器である請求項58に記載の無線機器。
【請求項６５】
無線通信機器のための準非間欠受信モードを実行するための方法であって、
準非間欠受信モードに入るステップと、
無線通信機器のページングインデックスに対応するマルチフレーム上のページングブロックのページを監視するステップと、を有し、
前記ページングブロックのページが、準非間欠受信モードにおいて、非間欠受信モードにある場合よりも高い頻度で、かつ間欠受信モードにある場合よりも低い頻度で読み取られる方法。
【請求項６６】
前記無線通信機器のページングインデックスに対応するマルチフレーム上の報知制御チャネルのページを監視するステップを、さらに有し、
前記報知制御チャネルのページが、準非間欠受信モードにおいて、非間欠受信モードにある場合よりも高い頻度で、かつ間欠受信モードにある場合よりも低い頻度で読み取られる請求項65に記載の方法。
【請求項６７】
前記マルチフレームが51マルチフレームである請求項65に記載の方法。
【請求項６８】
準非間欠受信タイマーを始動するステップと、
前記準非間欠受信タイマーが満了したと判定するステップと、
非間欠受信モードと間欠受信モードのうちの1つに入るステップと、
をさらに含む請求項65に記載の方法。
【請求項６９】
前記準非間欠受信タイマーがネットワークによって提供される請求項68に記載の方法。
【請求項７０】
前記準非間欠受信タイマーが固定されている請求項68に記載の方法。
【請求項７１】
前記無線通信機器によって実行される請求項65に記載の方法。
【請求項７２】
無線通信機器のための準非間欠受信モードを実行させるためのコンピュータプログラムであって、
前記無線通信機器に、準非間欠受信モードへ入らせるためのコードと、
前記無線通信機器に、前記無線通信機器のページングインデックスに対応するマルチフレーム上のページングブロックのページを監視させるためのコードと、を有し、
前記ページングブロックのページが、準非間欠受信モードにおいて、非間欠受信モードにある場合よりも高い頻度で、かつ間欠受信モードにある場合よりも低い頻度で読み取られるコンピュータプログラム。
【請求項７３】
前記無線通信機器に、前記無線通信機器のページングインデックスに対応するマルチフレーム上の報知制御チャネルのページを監視させるためのコードをさらに備え、
前記報知制御チャネルのページが、準非間欠受信モードにおいて、非間欠受信モードにある場合よりも高い頻度で、かつ間欠受信モードにある場合よりも低い頻度で読み取られる請求項72に記載のコンピュータプログラム。
【請求項７４】
前記マルチフレームが51マルチフレームである請求項72に記載のコンピュータプログラム。
【請求項７５】
前記無線通信機器に、準非間欠受信タイマーを始動させるためのコードと、
前記無線通信機器に、前記準非間欠受信タイマーが満了したと判定させるためのコードと、
前記無線通信機器に、非間欠受信モードと間欠受信モードのうちの1つへ入らせるためのコードとを含む請求項72に記載のコンピュータプログラム。
【請求項７６】
前記準非間欠受信タイマーがネットワークによって提供される請求項75に記載のコンピュータプログラム。
【請求項７７】
前記準非間欠受信タイマーが固定されている請求項75に記載のコンピュータプログラム。
【請求項７８】
準非間欠受信モードを実行するように構成される無線通信機器であって、
準非間欠受信モードがネットワークによってサポートされていると判定するための手段と、
準非間欠受信モードに入るための手段と、
前記無線通信機器のページングインデックスに対応するマルチフレーム上のページングブロックを監視するための手段と、
を備える無線通信機器。
【請求項７９】
前記マルチフレームが51マルチフレームである請求項78に記載の無線通信機器。
【請求項８０】
準非間欠受信タイマーを始動するための手段と、
前記準非間欠受信タイマーが満了したと判定するための手段と、
間欠受信モードに入るための手段と、
前記マルチフレーム上の報知制御チャネルブロックを監視するための手段と、
前記無線通信機器のページングインデックスおよびページンググループに対応する前記マルチフレーム上の無線ブロックのみを監視するための手段と、
をさらに備える請求項78に記載の無線通信機器。
【請求項８１】
前記準非間欠受信タイマーが、SEMI-NON-DRX-TIMER-MAXパラメータとSEMI-NON-DRX-TIMERパラメータの最小値である請求項80に記載の無線通信機器。
【請求項８２】
前記準非間欠受信タイマーが、前記無線通信機器によってサポートされる第1の準非間欠受信タイマーと前記ネットワークによってサポートされる第2の準非間欠受信タイマーの最小値である請求項80に記載の無線通信機器。
【請求項８３】
前記準非間欠受信タイマーが前記ネットワークによって提供される請求項80に記載の無線通信機器。
【請求項８４】
前記準非間欠受信タイマーが固定されている請求項80に記載の無線通信機器。
【請求項８５】
準非間欠受信モードを実行するように構成される無線機器であって、
無線通信機器にデータ送信要求を受信するための手段と、
無線通信ネットワークおよび前記無線通信機器が準非間欠受信モードをサポートすると判定するための手段と、
前記無線通信機器が準非間欠受信モードにあると判定するための手段と、
前記無線通信機器のページングインデックスに対応するページングブロックを通じて割り当てを前記無線通信機器に送信するための手段と、
前記無線通信機器のページングインデックスに対応するページングブロックを通じてページを前記無線通信機器に送信するための手段と、
を備える無線機器。
【請求項８６】
前記割り当てを送信するための手段がさらに、
マルチフレーム上で前記割り当てを送信するための手段、
を備える請求項85に記載の無線機器。
【請求項８７】
前記マルチフレームが51マルチフレームである請求項86に記載の無線機器。
【請求項８８】
前記ページを送信するための手段がさらに、
マルチフレーム上で前記ページを送信するための手段
を含む請求項85に記載の無線機器。
【請求項８９】
前記無線通信機器の現在の状態を維持するための手段を、さらに含む請求項85に記載の無線機器。
【発明の詳細な説明】
【技術分野】
【０００１】
（関連出願および優先権の主張）
本出願は、2011年11月1日に出願された「SEMI NON-DRX MODE」という米国仮特許出願第61/554,400号および2011年11月15日に出願された「SEMI-TRANSFER NON-DRX MODE」という米国仮特許出願第61/560,195号に関し、これらに対する優先権を主張し、これらの優先権の両方が、全体を参照することによって、あらゆる適用可能な目的のために以下で完全に記載されているかのように、本明細書に組み込まれる。
【０００２】
本発明の実施形態は全般に通信システムに関し、より具体的には、準非間欠受信(準非DRx: semi non-discontinuous receive)モードのためのシステムおよび方法に関する。
【背景技術】
【０００３】
無線通信システムは、これにより世界中の多くの人々が通信するようになった重要な手段になっている。無線通信システムは、各々が基地局によってサービスされ得る、多数の加入者局(たとえば、ユーザ装置、携帯電話、スマートフォン、タブレットなど)のための通信を提供することができる。加入者局は、アップリンクおよびダウンリンクでの伝送を介して1つまたは複数の基地局と通信することができる。アップリンク(または逆方向リンク)は、加入者局から基地局への通信リンクを指し、ダウンリンク(または順方向リンク)は、基地局から加入者局への通信リンクを指す。
【発明の概要】
【発明が解決しようとする課題】
【０００４】
電力リソースの効率的な使用は、ユーザがますますその度合いを増して自身の加入者局を使用するので、より重要になっている。効率的に電力を使用することは、中断しない通信と、より良好なユーザ体験とを可能にする。一部の現在のシステムは加入者局の電力節減を可能にするが、同時にネットワーク遅延を引き起こす。これらの遅延は、加入者局が特定のページングチャネルのみを監視するときに起こり得る。この現在のシステムの遅延は、データ伝送およびユーザ体験に悪影響を与え得るので、望ましくない。
【課題を解決するための手段】
【０００５】
本発明の実施形態は、他の課題とともに上記の課題に対処する。実に、本発明の実施形態は、時間遅延を軽減することができ、電力効率の高い機器、システム、および方法を提供する。そのようなものを提供することで、電力リソースを効率的に利用できるだけでなく、ネットワーク通信に関連する遅延を最小限にすることを助長することができる。本発明の実施形態は、上述の問題とともに他の問題に対処することを目的とする。本発明のいくつかの例示的な実施形態が、以下で要約される。この要約は、読者への便宜として与えられるが、特許請求される技術の全容を限定するために使用されるべきではない。一部の特徴は、発明を実施するための形態において説明されるので、以下で要約されないことがある。
【０００６】
本発明の実施形態は、無線通信機器のために準非DRxモードを実行するための方法を含む。そのような方法は一般に、準非DRxモードがネットワークによってサポートされると判定するステップと、準非DRxモードに入るステップと、無線通信機器のページングインデックス(paging index)に対応するマルチフレーム(MF: multiframe)上のページングブロック(paging block)を監視するステップとを含み得る。マルチフレームは、51マルチフレーム(51-multiframe)であってよい。ページングブロックは、報知パラメータ(broadcast parameter)によって決定される無線通信機器のページンググループ(paging group)に対応し得る。また、ページングブロックは、無線通信機器の国際移動体加入者識別番号(international mobile subscriber identity)によって決定される、無線通信機器のページンググループに対応し得る。
【０００７】
方法の実施形態は、他の特徴も含み得る。たとえば、方法は、準非DRXタイマーを始動するステップと、準非DRXが満了したと判定するステップと、DRxモードに入るステップと、マルチフレーム上の報知制御チャネルブロック(broadcast control channel block)を監視するステップと、無線通信機器のページングインデックスおよびページンググループに対応するマルチフレーム上の無線ブロックのみを監視するステップとを含み得る。準非DRXタイマーは、(a)NON-DRX-TIMER-MAXパラメータとNON-DRX-TIMERパラメータ、(b)SEMI-NON-DRX-TIMER-MAXパラメータとSEMI-NON-DRX-TIMERパラメータ、(c)NON-DRX-TIMER-MAXパラメータとSEMI-NON-DRX-TIMERパラメータ、または(d)SEMI-NON-DRX-TIMER-MAXパラメータとNON-DRX-TIMERパラメータの最小値であり得る。また、準非DRxタイマーは、無線通信機器によってサポートされる第1の準非DRxタイマーとネットワークによってサポートされる第2の準非DRxタイマーの最小値であり得る。
【０００８】
方法の実施形態は、さらなるタイマーの特徴も含み得る。たとえば、準非DRxタイマーはネットワークによって提供されてよく、準非DRxタイマーは固定されてよく、準非DRxタイマーは新しいタイマーであってよい。また、方法は、準非DRxモードの使用を示すための無線リンク制御/メディアアクセス制御メッセージを受信するステップを含み得る。方法の実施形態は、無線通信機器によって実行され得る。
【０００９】
他の方法は、無線通信ネットワークのために準非DRxモードを実行することができる。そのような方法は一般に、無線通信機器にデータを送信する旨の要求を受信するステップと、無線通信ネットワークおよび無線通信機器が準非DRxモードをサポートすると判定するステップと、無線通信機器が準非DRxモードにあると判定するステップと、無線通信機器のページングインデックスに対応するページングブロックを通じて割り当てを無線通信機器に送信するステップと、無線通信機器のページングインデックスに対応するページングブロックを通じてページを無線通信機器に送信するステップとを含み得る。
【００１０】
本発明の実施形態はまた、無線機器を含み得る。準非DRxモードを実装するために構成される無線機器は一般に、プロセッサと、プロセッサと電子的に通信しているメモリと、メモリに記憶される命令とを含み得る。この命令は、準非DRxモードがネットワークによってサポートされると判定し、準非DRxモードに入り、無線通信機器のページングインデックスに対応するマルチフレーム上のページングブロックを監視するように、プロセッサによって実行され得る。
【００１１】
他の実施形態はまた、準非DRxモードを実装するために構成される無線機器を含み得る。そのような機器は一般に、プロセッサと、プロセッサと電子的に通信しているメモリと、メモリに記憶される命令とを含み得る。この命令は、無線通信機器にデータを送信する旨の要求を受信し、ネットワークおよび無線通信機器が準非DRxモードをサポートすると判定し、無線通信機器が準非DRxモードにあると判定し、無線通信機器のページングインデックスに対応するページングブロックを通じて割り当てを無線通信機器に送信し、無線通信機器のページングインデックスに対応するページングブロックを通じてページを無線通信機器に送信するように、プロセッサによって実行可能であり得る。本発明のいくつかの実施形態は、無線通信機器のために準非DRxモードを実行するためのコンピュータプログラム製品を含み得る。コンピュータプログラム製品は、命令を有する非一時的コンピュータ可読媒体を含み得る。この命令は、無線通信機器に準非DRxモードがネットワークによってサポートされると判定させるためのコードと、無線通信機器に準非DRxモードへ入らせるためのコードと、無線通信機器に無線通信機器のページングインデックスに対応するマルチフレーム上のページングブロックを監視させるためのコードとを含み得る。
【００１２】
またさらなる追加の実施形態は、通信インターフェースおよびプロセッサを含む無線機器を含み得る。通信インターフェースは、無線データを受信および送信することができる。プロセッサは、通信インターフェースに動作可能に結合されてよく、準非DRxモードに入り、無線通信機器のページングインデックスに対応するマルチフレーム上のページングブロックのページを監視するように構成されてよい。準非DRxモードにあるページは、非DRxモードにある場合よりも高い頻度で、かつDRxモードにある場合よりも低い頻度で読み取られ得る。
【００１３】
追加の実施形態は、無線通信ネットワークのために準非DRxモードを実行するためのコンピュータプログラム製品を含み得る。コンピュータプログラム製品は、命令を有する非一時的コンピュータ可読媒体を含み得る。命令は、無線機器に、無線通信機器へデータを送信する旨の要求を受信させるためのコードと、無線機器に、無線通信ネットワークおよび無線通信機器が準非DRxモードをサポートすると判定させるためのコードと、無線機器に、無線通信機器が準非DRxモードにあると判定させるためのコードと、無線機器に、無線通信機器のページングインデックスに対応するページングブロックを通じて割り当てを無線通信機器へ送信させるためのコードと、無線機器に、無線通信機器のページングインデックスに対応するページングブロックを通じてページを無線通信機器へ送信させるためのコードとを含み得る。
【００１４】
追加の方法の実施形態は、無線通信機器のために準非DRxモードを実行するための方法を提供することができる。方法は、準非DRxモードに入るステップと、無線通信機器のページングインデックスに対応するマルチフレーム上のページングブロックのページを監視するステップとを含み得る。ページングブロックのページは、準非DRxモードにおいて、非DRxモードにある場合よりも高い頻度で、かつDRxモードにある場合よりも低い頻度で読み取られ得る。
【００１５】
またさらに追加の実施形態は、無線通信機器のために準非DRxモードを実行するためのコンピュータプログラム製品を含み得る。コンピュータプログラム製品は、命令を有する非一時的コンピュータ可読媒体を含み得る。この命令は、無線通信機器に、準非DRxモードへ入らせるためのコードと、無線通信機器に、無線通信機器のページングインデックスに対応するマルチフレーム上のページングブロックのページを監視させるためのコードとを含み得る。ページングブロックのページは、準非DRxモードにおいて、非DRxモードにあるページよりも高い頻度で、かつDRxモードにあるページよりも低い頻度で読み取られ得る。
【００１６】
本発明の実施形態はまた、準非DRxモードを実行するために構成される無線通信機器を含み得る。そのような機器は、準非DRxモードがネットワークによってサポートされると判定するための手段と、準非DRxモードに入るための手段と、無線通信機器のページングインデックスに対応するマルチフレーム上のページングブロックを監視するための手段とを含み得る。
【００１７】
さらなる追加の実施形態はまた、準非DRxモードを実行するために構成される無線機器を含み得る。そのような機器は、無線通信機器にデータを送信する旨の要求を受信するための手段と、無線通信ネットワークおよび無線通信機器が準非DRxモードをサポートすると判定するための手段と、無線通信機器が準非DRxモードにあると判定するための手段と、無線通信機器のページングインデックスに対応するページングブロックを通じて割り当てを無線通信機器に送信するための手段と、無線通信機器のページングインデックスに対応するページングブロックを通じてページを無線通信機器に送信するための手段とを含み得る。
【００１８】
本発明の他の態様、特徴、および実施形態は、添付の図面とともに本発明の特定の例示的な実施形態の以下の説明を検討すれば、当業者には明らかとなるであろう。本発明の特徴は、以下のいくつかの実施形態および図面に対して説明され得るが、本発明のすべての実施形態は、本明細書で論じられる有利な特徴の1つまたは複数を含み得る。言い換えると、1つまたは複数の実施形態は、いくつかの有利な特徴を有するものとして説明され得るが、そのような特徴の1つまたは複数はまた、本明細書で説明される本発明の様々な実施形態に従って用いられ得る。同様にして、例示的な実施形態は、機器、システム、または方法の実施形態として以下で論じられ得るが、そのような例示的な実施形態は、様々な機器、システム、および方法で実装され得ることを理解されたい。
【図面の簡単な説明】
【００１９】
【図１】本明細書で開示される本発明の実施形態が利用され得る、無線通信システムの例を示す図である。
【図２】本発明のいくつかの実施形態による、無線通信システム中の送信機および受信機のブロック図である。
【図３】本発明のいくつかの実施形態による、受信機における受信機ユニットおよび復調器の設計のブロック図である。
【図４】本発明のいくつかの実施形態による、Global System for Mobile Communications(GSM(登録商標))における例示的なフレームおよびバーストのフォーマットを示す図である。
【図５】本発明のいくつかの実施形態による、GSM(登録商標)システムにおける例示的なスペクトルを示す図である。
【図６】送信回路(電力増幅器を含む)、受信回路、電力コントローラ、復号プロセッサ、信号を処理する際に使用する処理ユニット、およびメモリを含む、本発明のいくつかの実施形態による無線機器の例を示す図である。
【図７】本発明のいくつかの実施形態による、送信機構造および/または処理の例を示す図である。
【図８】本明細書で開示されるシステムおよび方法が利用され得る無線通信システムの一例を示すブロック図である。
【図９】本発明のいくつかの実施形態による、無線機器のためのモード遷移を示す流れ図である。
【図１０】本発明のいくつかの実施形態による、準非DRxモードの間に無線通信機器によって読み取られる無線ブロックを示すブロック図である。
【図１１】本発明のいくつかの実施形態による、無線通信機器において準非DRxモードを実行するための方法の流れ図である。
【図１２】本発明のいくつかの実施形態による、無線通信機器において準非DRxモードを実行するためのより詳細な方法の流れ図である。
【図１３】本発明のいくつかの実施形態による、無線通信ネットワークにおいて準非DRxモードを実行するための方法の流れ図である。
【図１４】本発明のいくつかの実施形態による、無線通信ネットワークにおいて準非DRxモードを実行するためのより詳細な方法の流れ図である。
【図１５】本発明のいくつかの実施形態による、基地局内に含まれ得るいくつかのコンポーネントを示す図である。
【図１６】本発明のいくつかの実施形態による、無線通信機器内に含まれ得るいくつかのコンポーネントを示す図である。
【発明を実施するための形態】
【００２０】
ますます多くの人々が、音声通信のためだけではなくデータ通信のためにも、たとえば携帯電話のような無線通信機器を使用している。GSM/EDGE(Global System for Mobile Communications/ Enhanced Data rates for GSM(登録商標) Evolution) Radio Access Network(GERAN)規格においては、General Packet Radio Service(GPRS)およびEnhanced General Packet Radio Service(EGPRS)がデータサービスを提供する。Global System for Mobile Communications(GSM(登録商標))は、セルラー、無線通信において広く普及している規格である。GSM(登録商標)は、標準的な音声サービスに対しては比較的効率的である。しかしながら、高忠実度のオーディオサービスおよびデータサービスは、GSM(登録商標)が最適化されるデータスループットレートよりも高いデータスループットレートを必要とする。容量を増やすために、General Packet Radio Service(GPRS)、EDGE(Enhanced Data rates for GSM(登録商標) Evolution)、およびUMTS(Universal Mobile Telecommunications System)規格がGSM(登録商標)システムにおいて採用されてきた。GSM/EDGE Radio Access Network(GERAN)規格では、GPRSおよびEGPRSがデータサービスを提供する。
【００２１】
GERANの規格は、3GPP(第3世代パートナーシッププロジェクト)によって管理される。GERANはGSM(登録商標)の一部である。より具体的には、GERANは、基地局102(AterおよびAbisインターフェース)と基地局コントローラ(Aインターフェースなど)とを収容するネットワークとともに、GSM/EDGEの無線部分である。GERANは、GSM(登録商標)ネットワークの中核部分を代表する。GERANは、PSTN(公衆交換電話網)およびインターネットから遠隔端末へと、かつ遠隔端末からPSTNおよびインターネットへと、電話呼およびパケットデータをルーティングする。GERANはまた、組み合わされたUMTS/GSMネットワークの一部である。
【００２２】
図1は、本明細書で開示されるシステムおよび方法が利用され得る無線通信システム100の一例を示す。無線通信システム100は、複数の基地局(BS)102および複数の無線通信機器104を含む。各基地局102は、特定の地理的エリア106に対して通信カバレッジを提供する。「セル」という用語は、用語が使用される文脈に応じて、基地局102および/またはそのカバレッジエリア106を指し得る。
【００２３】
本明細書で使用される場合、「無線通信機器」という用語は、無線通信システムを通じた音声および/またはデータ通信に使用され得る電子機器を指す。無線通信機器104の例は、携帯電話、携帯情報端末(PDA)、ハンドヘルドデバイス、無線モデム、ノートパソコン、パーソナルコンピュータ、マシンタイプ通信(MTC) デバイス、マシンツーマシン(M2M) デバイス、およびセンサデバイス(たとえば、いわゆる「スマートメータ」、アラームおよび健康管理機器を含む)を含む。無線通信機器104は、代わりに、アクセス端末、モバイル端末、移動局、リモート局、ユーザ端末、端末、加入者ユニット、加入者局、モバイル機器、無線機器、ユーザ装置(UE)、MTC機器もしくはM2M機器、またはいくつかの他の同様の用語で呼ばれ得る。MTC機器という用語は、MTC機器において達成され得る利得を例示するために以下で使用されるが、利得は他の無線通信機器104でも達成され得る。
【００２４】
「基地局」という用語は、固定位置に取り付けられ無線通信機器104と通信するために使用される、無線通信局を指す。基地局102は、代わりに、アクセスポイント(ナノセル、ピコセル、およびフェムトセルを含む)、Node B、evolved Node B、Home Node B、またはいくつかの他の同様の用語で呼ばれ得る。
【００２５】
システム容量を向上させるために、基地局のカバレッジエリア106は、複数のより小さいエリア、たとえば3つのより小さいエリア108a、108b、および108cに分割され得る。より小さい各エリア108a、108b、108cは、それぞれのベーストランシーバ基地局(BTS)によってサービスされ得る。「セクタ」という用語は、用語が使用される文脈に応じて、ベーストランシーバ基地局(BTS)および/またはそのカバレッジエリア106を指し得る。セクタ化されたセルに対して、そのセルのすべてのセクタのベーストランシーバ基地局(BTS)は通常、セルの基地局102内で同じ位置にある。
【００２６】
無線通信機器104は通常、無線通信システム100の全体にわたって分散する。無線通信機器104は、任意の所与の瞬間においてダウンリンクおよび/またはアップリンク上で、1つまたは複数の基地局102と通信することができる。ダウンリンク(または順方向リンク)は、基地局102から無線通信機器104への通信リンクを指し、アップリンク(または逆方向リンク)は、無線通信機器104から基地局102への通信リンクを指す。アップリンクおよびダウンリンクは、通信リンク、または通信リンクのために使用されるキャリアを指し得る。
【００２７】
集中型アーキテクチャでは、システムコントローラ110は、基地局102に結合することができ、基地局102の調整および制御を行うことができる。システムコントローラ110は、単一のネットワークエンティティまたはネットワークエンティティの集合であってよい。分散型アーキテクチャでは、基地局102は、必要に応じて互いに通信することができる。
【００２８】
無線通信機器104は、加入者局のバッテリー持続時間を延ばすために、最小限の量の電力を使用することが望ましい。(加入者局のユーザ体験を改善するために)あらゆる遅延が最小化されることも望ましい。したがって、無線通信機器104のバッテリー持続時間を最大化しつつ、遅延を効果的に最小化する、システムおよび方法によって利益が実現され得る。これらの利益は、無線通信機器104と対応する基地局102の両方によって実現され得る。
【００２９】
図2は、本発明のいくつかの実施形態による、無線通信システム100中の送信機211および受信機213のブロック図を示す。ダウンリンクでは、送信機211は基地局102の一部であってよく、受信機213は無線通信機器104の一部であってよい。アップリンクでは、送信機211は無線通信機器104の一部であってよく、受信機213は基地局102の一部であってよい。
【００３０】
送信機211において、送信(TX)データプロセッサ234は、データ201を受信して処理し(たとえば、フォーマットし、符号化し、インターリーブし)、符号化されたデータを提供する。変調器212は、符号化されたデータに対して変調を実行し、変調された信号を提供する。変調器212は、GSM(登録商標)ではガウス最小偏位変調(GMSK)、Enhanced Data rates for Global Evolution(EDGE)では8相位相偏位変調(8-PSK)などを実行することができる。GMSKは連続的な位相変調プロトコルであり、8-PSKはデジタル変調プロトコルである。送信機ユニット(TMTR)218は、変調された信号を調整し(たとえば、フィルタリングし、増幅し、アップコンバートし)、変調されたRF信号を生成し、RF信号はアンテナ220を介して送信される。
【００３１】
受信機213において、アンテナ222は、送信機211および他の送信機からRF変調された信号を受信する。アンテナ222は、受信されたRF信号を受信機ユニット(RCVR)224に与える。受信機ユニット224は、受信されたRF信号を調整し(たとえば、フィルタリングし、増幅し、ダウンコンバートし)、調整された信号をデジタル化してサンプルを与える。復調器226は、以下で説明されるようにサンプルを処理し、復調されたデータを与える。受信(RX)データプロセッサ228は、復調されたデータを処理し(たとえば、デインターリーブし復号し)、復号されたデータ232を与える。一般に、復調器226およびRXデータプロセッサ228による処理は、それぞれ、送信機211における変調器212およびTXデータプロセッサ234による処理を補足するものである。
【００３２】
コントローラ/プロセッサ214および230は、それぞれ、送信機211および受信機213における動作を指示する。メモリ216および236は、それぞれ、送信機211および受信機213により使用されるコンピュータソフトウェアおよびデータの形態で、プログラムコードを記憶する。
【００３３】
図3は、本発明のいくつかの実施形態による、受信機213における受信機ユニット324および復調器326の設計のブロック図を示す。受信機ユニット324内で、受信チェーン325が、受信されたRF信号を処理し、IbbおよびQbbと示されるI(同相)ベースバンド信号およびQ(直交)ベースバンド信号を与える。要望または必要に応じて、受信チェーン325は、低雑音の増幅、アナログフィルタリング、直交ダウンコンバージョンなどを実行することができる。アナログデジタルコンバータ(ADC)327は、サンプリングクロック323から、fadcというサンプリングレートで、Iベースバンド信号およびQベースバンド信号をデジタル化し、IadcおよびQadcと示されるIサンプルおよびQサンプルを与える。一般に、ADCサンプリングレートfadcは、任意の整数または非整数の係数(factor)によって、シンボルレートfsymと関連付けられ得る。
【００３４】
復調器326内で、プリプロセッサ329は、アナログデジタルコンバータ(ADC)327からのIサンプルおよびQサンプルに、事前処理を実行する。たとえば、プリプロセッサ329は、直流(DC)オフセットを除去すること、周波数オフセットを除去することなどができる。入力フィルタ331は、ある特定の周波数応答に基づいて、プリプロセッサ329からのサンプルをフィルタリングし、IinおよびQinと示される入力のIサンプルおよびQサンプルを与える。入力フィルタ331は、IサンプルおよびQサンプルをフィルタリングし、アナログデジタルコンバータ(ADC)327によるサンプリングに起因する像(image)、さらには妨害波(jammer)を抑制することができる。入力フィルタ331はまた、サンプルレートの変換、たとえば、24倍のオーバーサンプリングから2倍のオーバーサンプリングへの変換を実行することもできる。データフィルタ333は、別の周波数応答に基づいて、入力フィルタ331からの入力のIサンプルおよびQサンプルをフィルタリングし、IoutおよびQoutと示される出力のIサンプルおよびQサンプルを与える。入力フィルタ331およびデータフィルタ333は、有限インパルス応答(FIR)フィルタ、無限インパルス応答(IIR)フィルタ、または他の種類のフィルタによって実装され得る。入力フィルタ331およびデータフィルタ333の周波数応答は、良好な性能を実現するように選択され得る。ある設計では、入力フィルタ331の周波数応答は固定され、データフィルタ333の周波数応答は設定可能である。
【００３５】
隣接チャネル干渉(ACI)検出器337は、入力フィルタ331から入力のIサンプルおよびQサンプルを受信し、受信されたRF信号の中の隣接チャネル干渉(ACI)を検出し、隣接チャネル干渉(ACI)インジケータ339をデータフィルタ333に与える。隣接チャネル干渉(ACI)インジケータ339は、隣接チャネル干渉(ACI)が存在するかどうかを示すことができ、存在する場合には、隣接チャネル干渉(ACI)が、+200キロヘルツ(kHz)に中心がある高い方のRFチャネルによるものか、かつ/または、-200 kHzに中心がある低い方のRFチャネルによるものかを、示すことができる。データフィルタ333の周波数応答は、良好な性能を実現するように、隣接チャネル干渉(ACI)インジケータ339に基づいて調整され得る。
【００３６】
等化器/検出器335は、データフィルタ333から出力のIサンプルおよびQサンプルを受信し、等化、マッチドフィルタリング(matched filtering)、検出、および/または他の処理をこれらのサンプルに対して実行する。たとえば、等化器/検出器335は、IサンプルおよびQサンプルの列とチャネル推定とをもとに、送信された可能性が最も高いシンボルの列を決定する、最尤系列推定器(MLSE: maximum likelihood sequence estimatior)を実装することができる。
【００３７】
GSM(登録商標)は、スペクトルリソースを共有する目的で、時分割多元接続(TDMA)および周波数分割多元接続(FDMA)の組合せを利用する。GSM(登録商標)ネットワークは通常、複数の周波数帯で動作する。たとえば、アップリンク通信では、GSM-900は、890〜915メガヘルツ(MHz)の帯域(移動局からベーストランシーバ基地局)の無線スペクトルを共通に使用する。ダウンリンク通信では、GSM-900は、935〜960MHzの帯域を使用する(基地局102から無線通信機器104)。さらに、各周波数帯は、200KHzのキャリア周波数へと分割され、200kHz間隔の124個のRFチャネルを提供する。GSM-1900は、アップリンクでは1850〜1910MHzの帯域を使用し、ダウンリンクでは1930〜1990MHzの帯域を使用する。GSM-900のように、FDMAは、アップリンクとダウンリンクの両方のスペクトルを、200kHz幅のキャリア周波数へと分割する。同様に、GSM-850は、アップリンクでは824〜849MHzの帯域を、ダウンリンクでは869〜894MHzの帯域を使用し、GSM-1800は、アップリンクでは1710〜1785MHzの帯域を、ダウンリンクでは1805〜1880MHzの帯域を使用する。
【００３８】
既存のGSM(登録商標)システムの例は、第3世代パートナーシッププロジェクト(3GPP)規格設定組織により発行された、「Technical Specification 3rd Generation Partnership Project; Technical Specification Group GSM/EDGE Radio Access Network; Multiplexing and multiple access on the radio path (Release 4)」と題する、技術仕様文書3GPP TS 45.002 V4.8.0 (2003-06)において特定される。
【００３９】
GSM(登録商標)における各チャネルは、特定の絶対無線周波数チャネル番号(ARFCN: absolute radio frequency channel number)によって特定される。たとえば、ARFCN 1〜124が、GSM-900のチャネルに割り当てられ、ARFCN 512〜810が、GSM-1900のチャネルに割り当てられる。同様に、ARFCN 128〜251が、GSM-850のチャネルに割り当てられ、ARFCN 512〜885が、GSM-1800のチャネルに割り当てられる。また、各基地局102は、1つまたは複数のキャリア周波数を割り当てられる。各キャリア周波数は、TDMAを使用して8個のタイムスロット(タイムスロット0〜7と名付けられる)に分割されるので、8個の連続するタイムスロットが、長さが4.615ミリ秒(ms)の1つのTDMAフレームを形成する。物理チャネルは、TDMAフレーム内の1つのタイムスロットを占有する。各々のアクティブな無線機器104またはユーザは、呼の継続期間の間、1つまたは複数のタイムスロットインデックスを割り当てられる。各無線通信機器104のユーザ特定データは、その無線通信機器104に割り当てられたタイムスロットにおいて、かつトラフィックチャネルのために使用されるTDMAフレームにおいて送信される。
【００４０】
図4は、本発明のいくつかの実施形態による、Global System for Mobile Communications(GSM(登録商標))における例示的なフレームおよびバーストのフォーマットを示す。本発明のいくつかの実施形態によれば、送信のタイムラインはマルチフレーム463へと分割される。ユーザ特定データを送信するのに使用されるトラフィックチャネルでは、この例における各マルチフレーム463は、TDMAフレーム0から25と名付けられる26個のTDMAフレーム464を含む。トラフィックチャネルは、各マルチフレーム463の、TDMAフレーム0から11およびTDMAフレーム13から24で送信される。制御チャネルは、TDMAフレーム12で送信される。近隣の基地局102によって送信される信号の測定を行うために無線通信機器104によって使用されるデータは、アイドルのTDMAフレーム25では送信されない。
【００４１】
フレーム内の各タイムスロットは、GSM(登録商標)において「バースト」465とも呼ばれる。各バースト465は、2個の末尾フィールド、2個のデータフィールド、トレーニングシーケンス(またはミッドアンブル)フィールド、および保護期間(GP)を含む。各フィールド中のシンボルの数は、括弧の中で示される。バースト465は、テール、データフィールド、およびミッドアンブルフィールドのためのシンボルを含む。保護期間には、シンボルは送信されない。特定のキャリア周波数のTDMAフレームは番号を付けられ、マルチフレーム463と呼ばれる26個または51個のTDMAフレーム464のグループとして形成される。
【００４２】
図5は、本発明のいくつかの実施形態による、GSM(登録商標)システムにおける例示的なスペクトル500を示す。この例では、5個のRF変調された信号は、200kHzずつ離れている5個のRFチャネルで送信される。関心のあるRFチャネルが、0Hzという中心周波数とともに示される。2つの隣接するRFチャネルは、所望のRFチャネルの中心周波数から+200kHzと-200kHzの周波数にある、中心隣接チャネル干渉(ACI)周波数を有する。次に近い2つのRFチャネル(ブロッカーまたは非隣接RFチャネルと呼ばれる)は、所望のRFチャネルの中心周波数から+400 kHzと-400 kHzの周波数にある、中心隣接チャネル干渉(ACI)周波数を有する。簡潔にするために図5に示されていない、他のRFチャネルがスペクトル500中にあり得る。GSM(登録商標)では、RF変調された信号は、fsym = 13000 / 40 = 270.8シンボル/秒(ksps)というシンボルレートで生成され、135kHzにもなる-3デシベル(dB)の帯域幅を有する。したがって、図5に示されるように、隣接RFチャネル上のRF変調された信号は、端部において互いに重複し得る。
【００４３】
GSM/EDGEでは、周波数バースト(FB)が基地局102によって定期的に送信され、無線通信機器104が、周波数オフセットの推定および修正を使用して、自身のローカル発振器(LO)を基地局102のローカル発振器(LO)と同期することを可能にする。これらのバーストは、すべてが「0」のペイロードおよびトレーニングシーケンスに対応する、単一の正弦波を含む。周波数バーストのすべてが「0」のペイロードは、一定周波数の信号、または単一のトーンバーストである。パワーモードでは、無線通信機器104は、キャリアのリストから周波数バーストを継続的に探索する。周波数バーストを検出すると、無線通信機器104は、キャリアから67.7kHzである、名目の周波数に対する周波数オフセットを推定する。無線通信機器104のローカル発振器(LO)は、推定された周波数オフセットを使用して修正される。パワーアップモードでは、周波数オフセットは±19kHz程度であり得る。無線通信機器104は、スタンバイモードにおいて同期を維持するために、定期的に起動して周波数バーストを監視することができる。スタンバイモードでは、周波数オフセットは±2kHzの範囲にある。
【００４４】
音声、データ、および/または制御情報のような情報を通信するために、1つまたは複数の変調方式がGERANシステムにおいて使用される。変調方式の例は、ガウス最小偏位変調(GMSK)、多値直交振幅変調(QAM)または多値PSK(位相偏位変調)を含んでよく、ここでM=2nであり、nは規定された変調方式に対してシンボル期間内で符号化されるビットの数である。GMSKは、毎秒270.83キロビット(kbps)という最大レートで生の送信を可能にする、一定の包絡線二値変調方式(envelope binary modulation scheme)である。
【００４５】
General Packet Radio Service(GPRS)は非音声のサービスである。GPRSは、情報が携帯電話ネットワーク上で送信され受信されることを可能にする。GPRSは、回線交換データ(CSD)およびショートメッセージサービス(SMS)を補助する。GPRSは、GSM(登録商標)と同じ変調方式を利用する。GPRSは、フレーム全体(すべての8個のタイムスロット)が単一の移動局によって同時に使用されることを可能にする。したがって、より高いデータスループットが達成可能である。
【００４６】
EDGE規格は、GMSK変調と8-PSK変調の両方を使用する。また、変調タイプは、バーストごとに変更されてよい。EDGEにおける8-PSK変調は、3π/8の回転を伴う線形の8レベル位相変調であるが、GMSKは、非線形のガウシアンパルス形状の周波数変調である。しかしながら、GSM(登録商標)で使用される特定のGMSK変調は、線形変調(すなわち、π/2の回転を伴う2レベルの位相変調)によって近似され得る。近似されたGMSKのシンボルパルスと8-PSKのシンボルパルスは、同一である。EGPRS2規格は、GMSK、QPSK、8-PSK、16-QAM、および32-QAM変調を使用する。変調タイプは、バーストごとに変更されてよい。EGPRS2におけるQ-PSK、8-PSK、16-QAM、および32-QAM変調は、3π/4、3π/8、π/4、-π/4の回転を伴う、線形、4レベル、8レベル、16レベル、および32レベルの位相変調であるが、GMSKは、非線形のガウシアンパルス形状の周波数変調である。しかしながら、GSM(登録商標)で使用される特定のGMSK変調は、線形変調(すなわち、π/2の回転を伴う2レベルの位相変調)によって近似され得る。近似されたGMSKのシンボルパルスと8-PSKのシンボルパルスは、同一である。Q-PSK、16-QAM、および32-QAMのシンボルパルスは、スペクトル的に狭いまたは広いパルス形状を使用し得る。
【００４７】
図6は、送信回路641(電力増幅器(PA)642を含む)、受信回路643、電力コントローラ644、復号プロセッサ645、信号を処理する際に使用する処理ユニット646、およびメモリ647を含む、本発明のいくつかの実施形態による無線機器600の例を示す。無線機器600は、基地局102または無線通信機器104であってもよい。送信回路641および受信回路643は、無線機器600と離れた位置との間のオーディオ通信のような、データの送信および受信を可能にし得る。送信回路641および受信回路643は、アンテナ640に結合され得る。
【００４８】
処理ユニット646は、無線機器600の動作を制御する。処理ユニット646は中央処理装置(CPU)と呼ばれることもある。メモリ647は、読取り専用メモリ(ROM)とランダムアクセスメモリ(RAM)の両方を含んでよく、命令およびデータを処理ユニット646に提供する。メモリ647の一部は、不揮発性ランダムアクセスメモリ(NVRAM)も含み得る。
【００４９】
無線機器600の様々なコンポーネントは、バスシステム649によって互いに結合されており、バスシステム649は、データバスに加えて電力バス、制御信号バス、および状態信号バスを含み得る。明確にするために、様々なバスが図6ではバスシステム649として示されている。
【００５０】
説明した方法のステップはまた、無線機器600中のメモリ647に位置する、ソフトウェアまたはファームウェアの形式で命令として記憶され得る。これらの命令は、無線機器600のコントローラ/プロセッサによって実行され得る。代わりに、または併せて、説明した方法のステップは、無線機器600中のメモリ647に位置する、ソフトウェアまたはファームウェア648の形式で命令として記憶され得る。これらの命令は、図6の無線機器600の処理ユニット646によって実行され得る。
【００５１】
図7は、本発明のいくつかの実施形態による、送信機構造および/または処理の例を示す。図7の送信機構造および/または処理は、無線通信機器104または基地局102のような無線機器において実行され得る。図7に示される機能およびコンポーネントは、ソフトウェア、ハードウェアまたはソフトウェアおよびハードウェアの組合せによって実装され得る。表された機能に加えて、またはその機能の代わりに、図7に他の機能が追加されてもよい。
【００５２】
図7では、データソース750がデータd(t)751をフレーム品質インジケータ(FQI)/エンコーダ752に提供する。フレーム品質インジケータ(FQI)/エンコーダ752は、巡回冗長検査(CRC)などのフレーム品質インジケータ(FQI)をデータd(t)に付加することができる。フレーム品質インジケータ(FQI)/エンコーダ752は、1つまたは複数の符号化方式を使用してデータおよびフレーム品質インジケータ(FQI)をさらに符号化して、符号化されたシンボル753を提供することができる。各符号化方式は、1つまたは複数の種類の符号化、たとえば畳み込み符号化、ターボ符号化、ブロック符号化、反復符号化、他の種類の符号化、またはまったく符号化しない方式を含み得る。他の符号化方式は、自動再送要求(ARQ)、ハイブリッドARQ(H-ARQ)および増分冗長再送(incremental redundancy repeat)方式を含み得る。様々なタイプのデータは、様々な符号化方式で符号化され得る。
【００５３】
インターリーバ754は、符号化されたデータシンボル753を時間的にインターリーブしてフェージングに対抗し、シンボル755を生成する。インターリーブされたシンボル755は、フレームフォーマットブロック756によって所定のフレームフォーマットにマッピングされて、フレーム757を生成することができる。ある例では、フレームフォーマットブロック756は、複数のサブセグメントから構成されるものとしてフレーム757を規定することができる。サブセグメントは、所与の次元、たとえば時間、周波数、コードまたは任意の他の次元に沿ったフレーム757の任意の連続部分であり得る。フレーム757は複数の一定数のそのようなサブセグメントから構成されてよく、各サブセグメントはフレーム757に割り当てられたシンボルの総数の一部分を含む。一例では、インターリーブされたシンボル755は、フレーム757を構成する複数(S個)のサブセグメントへと区分される。
【００５４】
フレームフォーマットブロック756は、インターリーブされたシンボル755とともに、たとえば制御シンボル(図示せず)を含めることをさらに規定することができる。そのような制御シンボルは、たとえば電力制御シンボル、フレームフォーマット情報シンボルなどを含み得る。
【００５５】
変調器758は、フレーム757を変調して、変調されたデータ759を生成する。変調方式の例は、2位相偏位変調(BPSK)および4位相偏位変調(QPSK)を含む。変調器758はまた、変調されたデータの系列を反復することができる。
【００５６】
ベースバンド-高周波(RF)変換ブロック760は、1つまたは複数の無線機器受信機へ無線通信リンクを通じて信号762としてアンテナ761を介して送信するために、変調されたデータ759をRF信号に変換することができる。
【００５７】
図8は、本明細書で開示されるシステムおよび方法が利用され得る無線通信システム800の一例を示すブロック図である。無線通信システム800は、図1に関して説明された無線通信システム100の一構成であり得る。たとえば、図8の基地局802および無線通信機器804は、図1の基地局102および無線通信機器104に対応し得る。
【００５８】
基地局802は、ページメッセージ送信モジュール866を含み得る。ページメッセージ送信モジュール866は、無線通信機器804の動作のモードに基づいて、無線通信機器804にメッセージを送信することができる。たとえば、無線通信機器804が準非間欠受信(非DRx)モードにある場合、ページメッセージ送信モジュール866は、無線通信機器804が非間欠受信(非DRx)モードにある場合よりも高い頻度で、かつ、無線通信機器804が間欠受信(DRx)モードにある場合よりも低い頻度で、ページメッセージを無線通信機器804に送信することができる。
【００５９】
DRxモードでは、無線通信機器804は、無線通信機器804がページのような着信する送信信号を監視するのに費やす時間を制限することによって、バッテリーを節約することができる。しかしながら、DRxモードでは、無線通信機器804は、着信するページが十分高い頻度で送信されないので、着信するページの読取りと読取りの間により長期間待機する必要があり得る。
【００６０】
非DRxモードでは、無線通信機器804は、ページのような着信する送信を継続的に監視する。しかしながら、DRxモードでは、無線通信機器804は、基地局802によってページメッセージが送信されていない場合にページブロック上のメッセージを読み取ろうとすることによって、消費する電力が多くなりすぎることがある。
【００６１】
ページメッセージ送信モジュール866は、マルチフレーム(MF)送信モジュール867およびタイマーモジュール868を含み得る。マルチフレーム(MF)送信モジュール867は、無線通信機器804にマルチフレーム(MF)無線ブロックを送信することができる。たとえば、マルチフレーム(MF)無線ブロックは、51マルチフレーム(MF)無線ブロックであり得る。タイマーモジュール868は、非DRxタイマー869aおよび準非DRxタイマー871aを含み得る。
【００６２】
無線通信機器804は、ページメッセージ受信モジュール874およびページンググループ880を含み得る。ページメッセージ受信モジュール874は、マルチフレーム(MF)受信モジュール875、非DRxタイマー869b、および準非DRxタイマー871bを含み得る。ページンググループ880は、ページングインデックス881を含み得る。
【００６３】
1つまたは複数の無線通信機器804は、ページンググループ880に属し得る。ページンググループ880は、マルチフレーム(MF)無線ブロックをいつ読み取るかを示し得る。たとえば、ページンググループ880は、マルチフレーム(MF)無線ブロックをいつ読み取るか、たとえば、3個の51マルチフレーム(MF)に1回の周期で読み取ることを、無線通信機器804に示し得る。ページンググループ880は、無線通信機器804の国際移動体加入者識別番号(international mobile subscriber identity)によって決定され得る。
【００６４】
ページングインデックス881は、マルチフレーム(MF)無線ブロック中でどのページングブロックスロットを読み取るかを指示し得る。無線通信機器804は、無線通信機器804の自体のページングインデックス881に対応する51マルチフレーム(MF)のいずれかで、基地局802からのメッセージを受信することができる。ページンググループ880およびページングインデックス881に関する追加の説明が、以下で与えられる。非DRxタイマー869bおよび準非DRxタイマー871bも、以下で説明される。
【００６５】
無線通信機器804上のマルチフレーム(MF)受信モジュール875は、基地局802からマルチフレーム(MF)無線ブロックを受信することができる。たとえば、マルチフレーム(MF)無線ブロックは、51マルチフレーム(MF)無線ブロックであり得る。
【００６６】
無線通信機器804は、アイドルモード、専用モード、およびパケット伝送モードのような、様々な動作のモードで動作することができる。無線通信機器804が動作のモードを切り替えると、基地局802はこの情報を受信し保持することができる。たとえば、基地局802は、ページメッセージ送信モジュール866に、無線通信機器804の動作のモードを記憶することができる。無線通信機器804の動作の現在のモードを知ることで、無線通信システム800および基地局802は、無線通信機器804へどのように通信を送信するかを決めることが可能になる。たとえば、基地局802は、無線通信機器804の動作のモードを使用して、割り当てメッセージをいつ無線通信機器804に送信するかを無線通信機器804のページンググループ880を使用して決定することができる。
【００６７】
GERAN規格は、間欠受信(DRx)モードおよび非間欠受信(非DRx)モードという、アイドルモードにおける無線通信機器804の動作の2つのモードを定義する。DRxモードは、無線通信機器804が着信する送信信号を監視するのに費やす時間を制限することによって、無線通信機器804がバッテリーを節約することを可能にする。非DRxモードは、無線通信機器804上でDRxモードを無効にする。DRxモードおよび非DRxモードは、以下でさらに説明される。
【００６８】
本発明のいくつかの実施形態によれば、準非DRxモードと呼ばれる追加のモードが利用され得る。準非DRxモードでは、無線通信機器804は、無線通信機器804がDRxモードにある場合よりも高い頻度で、かつ、無線通信機器804が非DRxモードにある場合よりも低い頻度で、送信を監視することができる。たとえば、準非DRxモードにある場合、無線通信機器804は、各マルチフレーム(MF)周期に1回、ページングブロックを監視することができる。マルチフレーム(MF)周期は、51マルチフレーム(MF)周期であり得る。
【００６９】
DRxモードでは、無線通信機器804は、自機のページンググループ880に対応する共通制御チャネル(CCCH)上の無線ブロックのみを監視することができる。ページンググループ880は、3GPP TS 45.002で定義される式を使用して、無線通信機器804および無線通信ネットワーク(すなわち、無線通信システム)800によって計算され得る。したがって、無線通信機器804は、n個の51マルチフレームごとに、無線通信機器804のページングインデックス881に対応する1つの無線ブロックのみを読み取ることができる。パラメータnは、具体的なネットワーク構成に応じて、2、3、4、5、6、7、8、または9であり得る。ページングインデックス881は、3GPP TS 45.002で定義される式を使用して、無線通信機器804および無線通信ネットワーク800によって計算され得る。DRxモードでは、無線通信機器804はバッテリーの電力を節約することができる。しかしながら、この電力の節約は、ダウンリンクのデータ伝送を開始しようとするときの過剰な遅延という犠牲を伴い得る。
【００７０】
DRxモードでは、無線通信機器804は、変化する監視機能を有し得る。たとえば、最短のDRx周期のモードでは、無線通信機器804は、2個の51マルチフレーム(MF)ごとにページングブロックを監視することができる。しかしながら、最長のDRx周期のモードでは、無線通信機器804は、9個の51マルチフレームごとにページングブロックを監視することができる。無線通信機器804がページングブロックを監視する頻度は、基地局802および/または無線通信システムからの報知情報(broadcast information)によって制御され得る。DRxモードの上記の例は、分割されたページング周期が利用されないと仮定していることに留意されたい。
【００７１】
DRxモードに入る前に、無線通信機器804はまず非DRxモードに入ることができる。非DRxモードでは、無線通信機器804は、無線通信機器804に対する共通制御チャネル(CCCH)上のすべてのブロックを監視することができる。非DRxモードでは、無線通信機器804は、遅延が最小限であるダウンリンクのデータ伝送のために、新たな割り当てメッセージを受信することができる。
【００７２】
非DRxモードは、どのタイプの情報のために無線通信機器804がGPRS接続を使用しているかに応じて、4つの異なるグループに分割され得る。この4つのグループは、伝送非DRxモード、モビリティ管理(MM)非DRxモード、ネットワーク制御(NC)非DRxモード、およびマルチメディアブロードキャスト/マルチキャストサービス(MBMS)非DRxモードである(3GPP TS 44.060参照)。本システムおよび方法は、無線通信機器804が伝送非DRxモードに入るときに最も有用であり得るが、準非DRxモードはすべての非DRxモードとともに利用され得る。
【００７３】
伝送非DRxモードでは、無線通信機器804は、アイドルモード(たとえば、DRxモード)に入る前に、ユーザデータを伝送することができる。伝送非DRxモードは、一般に最もよく使われる非DRxモードである。モビリティ管理(MM)非DRxモードでは、無線通信機器804は、アイドルモードに入る前にモビリティ管理メッセージを伝送することができる。モビリティ管理(MM)非DRxモードは、一般に、無線通信機器804が、登録、ルーティングエリアの更新、または位置登録エリアの更新を実行しているときに発生する。MBMS 非DRxモードでは、無線通信機器804は、MBMSデータを伝送することができる。MBMSは、無線通信機器804によって実装され得ない。ネットワーク制御(NC)非DRxモードでは、無線通信機器804は、アイドルモードに入る前に、ネットワークにより制御された測定報告を送信することができる。ネットワーク制御(NC)非DRxモードはサポートされるが、通常は使用されない。
【００７４】
伝送非DRxモードの期間は、非DRxタイマー869の期間、つまり値であり得る。非DRxタイマー869bの値(たとえば、時間)は、NON-DRX-TIMER-MAXパラメータおよびNON-DRX-TIMERパラメータの最小値であり得る。NON-DRX-TIMER-MAXパラメータは、GPRS Cell Optionsで報知され得る。たとえば、NON-DRX-TIMER-MAXパラメータは、基地局802上のタイマーモジュール868によって決定され、無線通信機器804に報知され得る。NON-DRX-TIMERパラメータは、無線通信機器804の製造業者によって決定され、GPRS Mobility Management(GMM)手順を介して無線通信機器804によってネットワークにシグナリングされ得る。伝送非DRxモードの期間は、無線通信機器における電力消費と、無線通信機器804との無線通信ネットワークによる接続を確立する際の遅延との間の、妥協点となるような期間である。
【００７５】
この遅延は、無線通信ネットワーク800が、無線通信機器804のダウンリンクダウンリンク仮ブロックフロー(TBF: temporary block flow)のような接続に再接続し、それを確立しようと試みることに費やす、過剰な時間である。たとえば、非DRxタイマー869b(たとえば、NON-DRX-TIMER)が0に設定される場合、最短のページング周期でも、ダウンリンク仮ブロックフロー(TBF)に対する割り当てをネットワークが無線通信機器804に送信するのに、最大で480ミリ秒かかり得る。これは、特にバースト性のアプリケーションでは、性能を低下させ得る。無線通信機器804が非DRxタイマー869bに対して0ではない値に設定される場合、無線通信機器804は、不必要にダウンリンク無線ブロックを監視することに電力を浪費し得る。
【００７６】
本発明のいくつかの実施形態によれば、電力消費と遅延の両方が、準非DRxモードを利用して無線通信機器804によって低減され得る。準非DRxモードは、DRxモードと伝送非DRxモードの両方の最良の特徴を組み合わせる。準非DRxモードはまた、準伝送非DRxモードと呼ばれることがあり、それは、これが新しい伝送非DRxモードであるからである。準非DRxモードは伝送非DRxモードに適用されているが、モビリティ管理(MM)非DRxモード、ネットワーク制御(NC)非DRxモード、および/またはMBMS 非DRxモードにも等しく適用され得ることを理解されたい。
【００７７】
準非DRxモードにある間、無線通信機器804は、ある期間、各々の51マルチフレーム(MF)上の同じページングインデックス881について、無線通信機器804のページングインデックスに対応する無線ブロックを監視することができる。無線通信機器804は、非DRxタイマー869b(たとえば、NON-DRX-TIMER)の期間と、準非DRxタイマー871bの期間とのいずれかの間、準非DRxモードにとどまり得る。準非DRxタイマー871bは、SEMI-NON-DRX-TIMERと呼ばれ得る。
【００７８】
準非DRxモードの1つの利点は、ダウンリンク仮ブロックフロー(TBF)のような接続が、最大で235ミリ秒(すなわち、1つの51マルチフレーム)という遅延で確立され得るということである。無線通信機器804の電力消費はわずかに増加し得るが、この増加はそれでも、伝送非DRxモードにおける無線通信機器804の現在の電力消費よりもはるかに小さくなり得る。従来モード(すなわち、非DRxモード)および新しい準非DRxモード(すなわち、準伝送非DRx)の電力消費の推定値が、以下のTable 1(表1)で与えられる。
【００７９】
【表１】
2015501618.tif 000003
【００８０】
Table 1(表1)において、Xiは、ページング周期iのときの電力消費を表す。パラメータiは、具体的なネットワーク構成に応じて、2、3、4、5、6、7、8、または9であり得る。加えて、Table 1(表1)の伝送非DRxモードは、各々の51マルチフレーム(MF)上で1つの報知制御チャネル(BCCH)ブロックが読み取られることを仮定する。
【００８１】
DRxモードでは、電力消費Xiはページング周期に依存する。たとえば、2つの51マルチフレーム(MF)ごとに1つの無線ブロックを読み取る(すなわち、X2)無線通信機器804は、4つの51マルチフレーム(MF)ごとに1つの無線ブロックを読み取る場合(すなわち、X4)よりも、多くの電力を消費する。したがって、DRxモードでの電力消費は、X2 > X3 > X4 > X5 > X6 > X7 > X8 > X9であり得る。
【００８２】
非DRxモードと準非DRxモードの両方で、電力消費はページング周期iと無関係である。非DRxモードでは、Table 1(表1)に示される電力消費の推定値は、周波数補正チャネル(FCCH: frequency correction channel)、同期チャネル(SCH)、および51マルチフレーム(MF)からのIDLEフレームを除外する。1つの無線ブロックを受信するために、無線通信機器804は厳密に4つのフレームを受信することが必要であることも理解され得る。以下で説明される図10は、マルチフレーム(MF)無線ブロックの例示を与える。
【００８３】
無線通信機器804が準非DRxモードを利用するために、仕様の変更が必要であり得る。具体的には、仕様の変更は、基地局802が準非DRxモードをサポートすることを無線通信機器804にシグナリングするための指示を、GPRS Cell Optionsに追加することを含み得る。以下のTable 2(表2)は、既存のNON-DRX-MAXタイマー情報が無線通信システム(たとえば、無線通信ネットワーク800)によって準伝送非DRxモードのために使用される場合のためのGPRS Cell Optionsの情報要素の拡張の例を与える。
【００８４】
【表２】
2015501618.tif 000004
【００８５】
NON-DRX-MAXタイマーが利用されるべきであることをSEMI_NON_DRX_MODEが示す場合、準非DRxタイマー871bの値は、非DRxタイマー869bのために定義された値と同じであり得る。他の構成では、準非DRxタイマー871bは、新たに定義された値を有し得る。以下のTable 3(表3)は、NON-DRX-MAXタイマーが使用される場合の(すなわち、準非DRxタイマー871b)、GPRS Cell Optionsの情報要素の例を与える。
【００８６】
【表３】
2015501618.tif 000005
【００８７】
仕様の修正はまた、無線通信機器104が準非DRxモードをサポートすることをシグナリングするための、無線通信機器104の無線アクセス能力(RAC: Radio Access Capability)中の指示を含み得る。無線通信機器104の無線アクセス能力(RAC)情報要素の例が、以下のTable 4(表4)で与えられる(ここでMSは基地局(すなわち、無線通信機器104)を指す)。
【００８８】
準伝送非DRxモードに対するネットワーク能力をシグナリングするためにGPRS Cell optionsを使用する代替的な手法は、無線通信ネットワーク800が、無線リンク制御/メディアアクセス制御(RLC/MAC)メッセージ内で無線通信機器804に指示することである。無線リンク制御/メディアアクセス制御(RLC/MAC)メッセージは、準伝送非DRxモードを使用するように無線通信機器804に指示し得る。
【００８９】
無線リンク制御/メディアアクセス制御(RLC/MAC)メッセージを使用する利点は、準伝送非DRxモードがより適切か、または従来の伝送非DRxモードがより適切かを、無線通信ネットワーク800がアプリケーションごとに判断できるということである。たとえば、インスタントメッセンジャーのようなサービスでは、無線通信機器804上でのユーザからの応答時間はかなり遅いことがある。この場合、準伝送非DRxモードがより適切であり得る。ウェブブラウジングのように、要求される応答時間が1つのマルチフレーム分よりもはるかに速いサービスが使用される場合、従来の伝送非DRxモードがより適切であり得る。
【００９０】
Table 2(表2)またはTable 3(表3)に示される例示的な符号化は、パケットアップリンク肯定応答/否定応答(ACK/NACK)、パケットアップリンク割当メッセージ、パケットダウンリンク割当メッセージ、パケットタイムスロット再構成メッセージなどのような、適切なダウンリンクの無線リンク制御/メディアアクセス制御(RLC/MAC)メッセージへの拡張として追加され得る。無線通信機器804は、以下のTable 4(表4)に示されるように、移動局(MS)の無線アクセス能力において、無線通信機器804が準伝送非DRxモードをサポートすることをシグナリングすることができる。
【００９１】
【表４】
2015501618.tif 000006
【００９２】
既存の非DRxタイマーパラメータが、準非DRxモードの期間をシグナリングするために使用され得る。たとえば、既存の非DRxタイマーパラメータは、非DRxタイマー869bの値と準非DRxタイマー871bの値の両方を決定することができる。しかしながら、準非DRxモードをサポートしないセルは、従来の非DRxモードを使用することを無線通信機器804に強い得る。これは、Table 1(表1)において上で示されたように、アイドルモードの消費電力を大きく増加させ得るので、望ましくないことがある。準非DRxタイマー871のような、準非DRxモードのための新たなタイマー値を基地局802上で導入することが、より望ましいことがある。新たなタイマー値(たとえば、準非DRxタイマー871の値)は、ATTACH REQUESTメッセージおよびROUTING AREA UPDATE REQUESTメッセージによって搬送される新たな情報要素を必要とし得る。GPRS Mobility Management(GMM)メッセージに追加されるべき新たな情報要素は、以下のTable 5(表5)に示される。
【００９３】
【表５】
2015501618.tif 000007
【００９４】
以下のTable 6(表6)は、本システムおよび本方法において使用される、非DRxタイマーの定義を与える。準非DRxタイマー871bの具体的な値は、3GPP TS 24.008において非DRxタイマーに対して定義された値、またはTable 3(表3)において上で提示された値と同じであり得る。
【００９５】
【表６】
2015501618.tif 000008
【００９６】
図9は、本発明のいくつかの実施形態による、無線機器のためのモード遷移を示す流れ図である。モード遷移は、無線通信機器104のような無線機器によって実行され得る。基地局102は、無線通信機器104の様々なモード遷移を記録し得る。無線通信機器104は最初に、パケット伝送モードに入り得る(902)。パケット伝送モードが終了すると(すなわち、データ伝送が完了すると)、無線通信機器104は、非DRxモード、準非DRxモード、またはDRxモードのような、パケットアイドルモードに切り替わり得る。
【００９７】
無線通信機器104は、無線通信機器104上の準非DRxタイマー871bが0より大きな値を有するかどうかを判定することができる。上述したように、準非DRxタイマー871bは、無線通信機器104が、パケット伝送モードの後、かつDRxモード(すなわち、DRxパケットアイドルモード)に入る前に、準非DRxモード(すなわち、準非DRxパケットアイドルモード)にどの程度長くとどまるか(または、とどまるか否か)を判定するために、無線通信機器104によって使用されるタイマーであり得る。準非DRxタイマー871bの値は、たとえば、0、1、2、4、8、16、32、または64秒であり得る。準非DRxタイマー871bの他の値も使用され得る。無線通信機器104は、非DRxタイマー869bが0より大きいかどうかも判定することができる。
【００９８】
ネットワークが準非DRxモードをサポートしない場合、無線通信機器104は準非DRxモードを使用できない。ネットワークがNON-DRX-MAXを伴う準非DRxモードをサポートする場合、無線通信機器104は、無線通信機器104によってサポートされる準非DRxタイマー869bとネットワークによってサポートされるNON-DRX-MAXタイマーの最小値を選択することができる。ネットワークが新たなSEMI-NON-DRX-MAXを伴う準非DRxモードをサポートしない場合、無線通信機器104は、無線通信機器104によってサポートされる準非DRxタイマー871bとネットワークによってサポートされる準非DRxタイマー871a(たとえば、SEMI-NON-DRX-MAXタイマー)の最小値を選択することができる。したがって、無線通信機器104が0よりも大きな値を伴う準非DRxタイマー871bを有する場合、ネットワークは、NON-DRX-MAXタイマーとSEMI-NON-DRX-MAXタイマーのいずれかによって準非DRxモードをサポートする。
【００９９】
データ伝送が完了したときに、無線通信機器104が0より大きな値を伴う準非DRxタイマー871bを有さず(たとえば、準非DRxタイマー871bの値が0である)、無線通信機器104が0より大きな値を伴う非DRxタイマー869bを有さない(たとえば、非DRxタイマー869bの値が0である)と、無線通信機器104が判定する場合(904)、無線通信機器104は、直接DRxモードに入ることができる(906)。
【０１００】
データ伝送が完了したときに、無線通信機器104が0に等しい準非DRxタイマー871bを有するが、非DRxタイマー869bが0より大きいと、無線通信機器104が判定する場合(908)、無線通信機器104は、準非DRxタイマー871bを始動し(910)、非DRxタイマー869の期間、非DRxモードに入ることができる(912)。無線通信機器104は次いで、非DRxタイマー869bが満了すると(914)、DRxモードに切り替わり、入ることができる(906)。
【０１０１】
データ伝送が完了したときに、無線通信機器104が0より大きな値を伴う準非DRxタイマーを有すると、無線通信機器104が判定する場合(916)、無線通信機器104は、準非DRxタイマーを始動することができ(918)、準非DRxモードに入ることができる(920)。上述したように、準非DRxモードは、DRx/非DRxモードの新たな状態またはモードを表し得る。準非DRxタイマー871bが満了すると(922)、無線通信機器104は、準非DRxモードから切り替わり、DRxモードに入ることができる(906)。
【０１０２】
図9に示されるように、いくつかの構成では、準非DRxモードは、無線通信機器104上で非DRxモードを置き換え得る。言い換えると、無線通信機器104は、準非DRxモードと非DRxモードのいずれかに対する機能を含み得る。
【０１０３】
別の構成(図示せず)では、無線通信機器104は、準非DRxモードと非DRxモードの両方に対する機能を含み得る。たとえば、データ伝送が完了したときに、無線通信機器104が0より大きな値を伴う準非DRxタイマー871bと、0より大きな値を伴う非DRxタイマー869bとを有する場合、無線通信機器104は、準非DRxタイマー871bを始動することができ、準非DRxモードに切り替わることができる。準非DRxタイマー871bが満了すると、無線通信機器104は、準非DRxモードから非DRxモードに切り替わることができる。無線通信機器104は、非DRxタイマー869の期間、非DRxモードに入ることができる。無線通信機器104は次いで、非DRxタイマー869bが満了すると、非DRxモードからDRxモードに切り替わることができる。
【０１０４】
さらに別の構成では、データ伝送が完了したときに、無線通信機器104が0より大きな値を伴う準非DRxタイマー871bと、0より大きな値を伴う非DRxタイマー869bとを有すると、無線通信機器104が判定する場合(924)、無線通信機器104は、非DRxタイマー869bを始動することができ(926)、非DRxモードに入ることができる(928)。非DRxタイマー869bが満了すると(930)、無線通信機器104は、非DRxモードから切り替わり、準非DRxモードに入ることができる(920)。言い換えると、無線通信機器104は、準非DRXタイマー871bを始動することができ(932)、準非DRxモードに入ることができる(920)。無線通信機器104は、準非DRxタイマー871bの期間、準非DRxモードに入ることができる(920)。無線通信機器104は次いで、準非DRxタイマー871bが満了すると(922)、準非DRxモードから切り替わり、DRxモードに入ることができる(906)。
【０１０５】
図10は、本発明のいくつかの実施形態による、準非DRxモードの間に無線通信機器104によって読み取られる無線ブロックを示すブロック図である。各々の51マルチフレーム(MF)1084a〜eは、51個のフレームを有し得る(3GPP TS 45.002参照)。各々の51マルチフレーム(MF)1084は、00から50まで順番に番号を付けられ得る。5個の51マルチフレーム(MF)1084a〜eが示されるが、最小で1個、および最大でn個が利用されてよいことを理解されたい。ここで、nは整数値を表す。たとえば、各周期において、12個、35個、80個、または104個のマルチフレーム(MF)が利用されてよい。
【０１０６】
異なるチャネルは、各フレームと関連付けられ得る。たとえば、周波数補正チャネル(FCCH)は、フレーム00、10、30、および40と関連し得る。同期チャネル(SCH)は、フレーム01、11、21、31、および41と関連し得る。報知制御チャネル(BCCH norm)は、フレーム02、03、04、および05と関連し得る。いくつかの構成では、任意選択の報知制御チャネル(BCCH ext)は、フレーム06、07、08、および09(図示せず)と関連し得る。
【０１０７】
加えて、フレームはページングインデックス1086と関連付けられ得る。各々の51マルチフレーム(MF)1084a〜eと関連付けられる、9個のページングインデックス1086a〜iがあり得る(9個のページングインデックスは、第1のBCCHブロックへの追加である)。
【０１０８】
図10に示される例では、無線通信機器104はページングインデックス7 1086hを割り当てられる。したがって、無線通信機器104は、すべての51マルチフレーム(MF)1084a〜e上のページングインデックス7 1086hに対応する無線ブロック1087を監視し読み取ることができる。無線通信機器104は準非DRxモードにあるので、無線通信機器104はまた、すべての51マルチフレーム(MF)1084a〜e上のBCCH無線ブロック1085を監視し読み取ることができる。ネットワークがBCCH ext(拡張)もサポートする場合、無線通信機器104はまた、すべての51マルチフレーム(MF)1084a〜e上のBCCH extに対応するBCCH無線ブロックを監視し読み取ることができる。無線通信機器104は、準非DRxタイマー871bが満了するまで、すべての51マルチフレーム(MF)1084a〜e上のページングインデックス1086に対応するBCCH無線ブロックと、任意選択でBCCH無線ブロックとを読み取り続けることができる。準非DRxタイマー871bが満了した時点で、無線通信機器104は、DRxモードに切り替わり得る(n個の51マルチフレーム(MF)1084a〜eごとに、51マルチフレーム上のページングインデックスに対応する無線ブロックのみが読み取られる)。準非DRxモードの使用は、ダウンリンク仮ブロックフロー(TBF)の割り当てのようなより高速な接続の割り当てを可能にしつつ、無線通信機器104の電力消費を最小限にする。
【０１０９】
本発明のいくつかの実施形態では、無線通信機器104は、マルチフレーム(MF)ページング周期1084に1回よりも高い頻度で、ページを監視することができる。たとえば、無線通信機器104は、マルチフレーム(MF)周期1084ごとに１つより多いページングインデックス1086に対応する無線ブロック1087を監視し読み取ることができる。言い換えると、無線通信機器104は、ページングインデックス1086の範囲上でページを監視することができる。監視の頻度は、不変であってよく、または変化してよい。たとえば、無線通信機器104は、第1の期間、ページングインデックス1086の一方の範囲に従ってページを監視することができ、次いで無線通信機器104は、第2の期間、ページングインデックス1086の他の範囲に従ってページを監視することができる。これらの範囲は動的であり得る。したがって、ページは、準非DRxモードにおいて、非DRxモードにある場合よりも高い頻度で、かつDRxモードにある場合よりも低い頻度で読み取られ得る。
【０１１０】
本発明のいくつかの実施形態では、無線通信機器104は、マルチフレーム(MF)ページング周期1084のある範囲で、ページを監視することができる。たとえば、無線通信機器104は、第1のマルチフレーム(MF)周期1084aおよび第2のマルチフレーム(MF)周期1084bでページを監視することができるが、第3のマルチフレーム(MF)周期1084cでは監視できない。無線通信機器104は、次の3つのマルチフレーム(MF)周期1084に対してこのパターンを繰り返すことができる。代わりに、無線通信機器104は、ページを監視するための異なるパターンを使用してよい。したがって、ページは、準非DRxモードにおいて、非DRxモードにある場合よりも高い頻度で、かつDRxモードにある場合よりも低い頻度で読み取られ得る。
【０１１１】
本発明のいくつかの実施形態では、無線通信機器104は、マルチフレーム(MF)周期1084のある範囲にわたって、報知制御チャネル(BCCH)無線ブロック1085を監視することができる。たとえば、無線通信機器104は、5個のマルチフレーム(MF)周期1084に1回だけ、報知制御チャネル(BCCH)無線ブロック1085を監視することができ、一方、5個のマルチフレーム(MF)周期1084の各々で、準非DRxページングブロック1087を監視し読み取る。別の例では、無線通信機器104は、他の回数のマルチフレーム(MF)周期1084ごとに、たとえば、5個のマルチフレーム(MF)周期1084に3回、報知制御チャネル(BCCH)無線ブロック1085を監視することができる。したがって、報知制御チャネル(BCCH)無線ブロックは、準非DRxモードにおいて、非DRxモードにある場合よりも高い頻度で、かつ/または、DRxモードにある場合よりも低い頻度で読み取られ得る。
【０１１２】
図11は、本発明のいくつかの実施形態による、無線通信機器104において準非DRxモードを実行するための方法1100の流れ図である。方法1100は、無線通信機器104によって実行されてよく、本明細書で述べられるコンポーネントおよび特徴を利用してよい。無線通信機器104は、準非DRxモードがネットワーク(たとえば、無線通信システム100)によってサポートされると判定することができる(1102)。
【０１１３】
ネットワークが準非DRxモードをサポートする場合、無線通信機器104は準非DRxモードに入ることができる(1104)。無線通信機器104は、準非DRxタイマーを始動することができる(1106)。無線通信機器104は次いで、そのページングインデックス881に対応するページングブロックと、任意選択で、51マルチフレーム(MF)上の報知制御チャネルBCCH normとBCCH extブロックとを監視することができる(1108)。
【０１１４】
図12は、本発明のいくつかの実施形態による、無線通信機器104において準非DRxモードを実行するためのより詳細な方法1200の流れ図である。方法1200は、無線通信機器104によって実行されてよく、本明細書で論じられるコンポーネントおよび特徴を利用することができる。無線通信機器104は、アイドルモードに入り得る(1202)。無線通信機器104は、0よりも大きい値を伴う準非DRxタイマー871b(たとえば、準非DRxタイマー871bが0より大きい)がネゴシエーションされたか(negotiated)どうかを判定することができる(1204)。ネゴシエーションされた準非DRxタイマー871bの値は、無線通信機器104によって報告されたタイマー値と、ネットワーク(たとえば、無線通信システム100)によってサポートされる値との最小値であり得る。0より大きい値を伴う準非DRxタイマー871bがネゴシエーションされていない場合、無線通信機器104は、0より大きい値を伴う非DRxタイマー869bがネゴシエーションされていないかどうか判定することができる(1206)。0より大きい値を伴う準非DRxタイマー871bがネゴシエーションされていない場合、無線通信機器104は、ネットワークが準非DRxモードをサポートするかどうか判定することができる(1220)。
【０１１５】
ネットワークが準非DRxモードをサポートする場合、無線通信機器104は準非DRxモードに入ることができる(1222)。無線通信機器104は、準非DRxタイマー871bを始動することができる(1224)。無線通信機器104は次いで、そのページングインデックス881に対応するページングブロックと、任意選択で、報知制御チャネルBCCH normとBCCH extブロックとを監視することができる(1226)。無線通信機器104は、準非DRxタイマー871bが満了したかどうかを判定することができる(1228)。準非DRxタイマー871bが満了していない場合、無線通信機器104は、各々の51マルチフレーム(MF)1084上で、そのページングインデックス881に対応するページングブロックと、任意選択で報知制御チャネル(BCCH)ブロックとを監視し続けることができる(1226)。準非DRxタイマー871bが満了している場合、無線通信機器104は、DRxモードに入り(1216)、無線通信機器104の自体のページンググループ880およびページングインデックス881に対応する、51マルチフレーム(MF)1084上のページングブロックのみを監視することができる(1218)。
【０１１６】
ネットワークが準非DRxモードをサポートしない場合、無線通信機器104は、0より大きい値を伴う非DRxタイマー869bがネゴシエーションされているかどうかを判定することができる(1206)。0より大きい値を伴う非DRxタイマー869bが協定されていない場合、無線通信機器104は、DRxモードに入り(1216)、無線通信機器104の自体のページンググループ880およびページングインデックス881に対応する、51マルチフレーム(MF)1084のみを監視することができる(1218)。
【０１１７】
0より大きい値を伴う非DRxタイマー869bがネゴシエーションされていない場合、無線通信機器104は、非DRxモードに入ることができる(1208)。無線通信機器104は、非DRxタイマー869bを始動することができる(1210)。無線通信機器104は次いで、各々の51マルチフレーム(MF)1084上の共通制御チャネル(CCCH)上のすべてのブロックを監視することができる(1212)。無線通信機器104は、非DRxタイマー869bが満了したかどうかを判定することができる(1214)。非DRxタイマー869bが満了していない場合、無線通信機器104は、各々の51マルチフレーム(MF)1084上の共通制御チャネル(CCCH)上のすべてのブロックを監視し続けることができる(1212)。非DRxタイマー869bが満了している場合、無線通信機器104は、DRxモードに入り(1216)、無線通信機器104の自体のページンググループ880およびページングインデックス881に対応する、51マルチフレーム(MF)1084上のページングブロックのみを監視することができる(1218)。
【０１１８】
図13は、本発明のいくつかの実施形態による、無線通信ネットワークにおいて準非DRxモードを実装するための方法1300の流れ図である。方法1300は、基地局102によって実行され得る。基地局102は、無線通信機器104にデータを送信する旨の要求を受信することができる(1302)。いくつかの構成では、基地局102は、無線通信機器104がDRxモードにないと判定することができる。
【０１１９】
基地局102は、無線通信システム100および無線通信機器104が準非DRxモードをサポートすると判定することができる(1304)。基地局102はまた、無線通信機器104が準非DRxモードにあると判定することができる(1306)。基地局102は、ページングインデックス881に対応する無線ブロックを通じて、無線通信機器104に割り当てを送信することができる(1308)。
【０１２０】
図14は、本発明のいくつかの実施形態による、無線通信ネットワークにおいて準非DRxモードを実装するためのより詳細な方法1400の流れ図である。方法1400は、基地局102によって実行され得る。基地局102は、無線通信機器104にデータを送信する旨の要求を受信することができる(1402)。基地局102は、無線通信機器104がDRxモードにあると判定することができる(1404)。無線通信機器104がDRxモードにある場合、基地局102は、無線通信機器104のページンググループ880およびページングインデックス881に対応する、51マルチフレーム(MF)1084上の無線通信機器104を呼び出すことができる(1406)。基地局102は次いで、ダウンリンクアップリンクおよびダウンリンクの仮ブロックフロー(TBF)の確立のような、接続の確立のための手順を進めることができる(1408)。
【０１２１】
無線通信機器104がDRxモードにない場合、基地局102は、ネットワークおよび無線通信機器104が準非DRxモードをサポートするかどうか、および無線通信機器104が準非DRxモードにあるかどうかを判定することができる(1412)。無線通信機器104が準非DRxモードにない場合、かつ/または、ネットワークが準非DRxモードをサポートしない場合、基地局102は、任意の共通制御チャネル(CCCH)ブロックにおいて、割り当てを無線通信機器104に送信することができる(1414)。基地局102は次いで、ダウンリンク仮ブロックフロー(TBF)の確立のための手順を進めることができる(1416)。
【０１２２】
無線通信機器104およびネットワークが準非DRxモードをサポートし、無線通信機器が準非DRxモードにある場合、基地局102は、任意の51マルチフレーム(MF)1084上の無線通信機器104のページングインデックス881に対応する無線ブロックを通じて、割り当てを無線通信機器104に送信することができる(1418)。基地局102は次いで、ダウンリンク仮ブロックフロー(TBF)の確立のための手順を進めることができる(1416)。
【０１２３】
図15は、本発明のいくつかの実施形態による、基地局1502内に含まれ得るいくつかのコンポーネントを示す。基地局1502は、アクセスポイント、報知送信機、Node B、evolved Node Bなどとも呼ばれ、それらの機能の一部もしくはすべてを含み得る。たとえば、基地局1502は図1の基地局102であり得る。
【０１２４】
基地局1502は、プロセッサ1503を含む。プロセッサ1503は、汎用のシングルチップマイクロプロセッサまたはマルチチップマイクロプロセッサ(たとえばARM)、専用マイクロプロセッサ(たとえば、デジタル信号プロセッサ(DSP))、マイクロコントローラ、プログラマブルゲートアレイなどであってよい。プロセッサ1503は、中央処理装置(CPU)と呼ばれ得る。図15の基地局1502には、1つのプロセッサ1503しか示されていないが、代替構成では、プロセッサの組合せ(たとえばARMとDSPなど)が使用されてもよい。
【０１２５】
基地局1502は、メモリ1505も含む。メモリ1505は、電子情報を記憶することができる任意の電子コンポーネントであってよい。メモリ1505は、ランダムアクセスメモリ(RAM)、読取り専用メモリ(ROM)、磁気ディスク記憶媒体、光記憶媒体、RAMのフラッシュメモリ機器、プロセッサに含まれるオンボードメモリ、EPROMメモリ、EEPROMメモリ、レジスタなど、およびそれらの組合せとして具現化され得る。
【０１２６】
データ1507aおよび命令1509aはメモリ1505に記憶され得る。命令1509aは、本明細書で開示される方法を実行するように、プロセッサ1503によって実行可能であってよい。命令1509aを実行することは、メモリ1505に記憶されたデータ1507aの使用を伴う場合がある。プロセッサ1503が命令1509aを実行すると、命令の様々な部分1509bがプロセッサ1503上にロードされてよく、データの様々な断片1507bがプロセッサ1503上にロードされてよい。
【０１２７】
基地局1502は、基地局1502との信号の送信および受信を可能にするための、送信機1511および受信機1513も含み得る。送信機1511および受信機1513は、送受信機1515と総称され得る。アンテナ1517は、送受信機1515に電気的に結合され得る。基地局1502は、複数の送信機、複数の受信機、複数の送受信機、および/または追加のアンテナも含み得る(図示せず)。
【０１２８】
基地局1502は、デジタル信号プロセッサ(DSP)1521を含み得る。基地局1502は、通信インターフェース1523も含み得る。通信インターフェース1523は、ユーザが基地局1502と交流(interact)できるようにし得る。
【０１２９】
基地局1502の様々なコンポーネントは、1つまたは複数のバスによって互いに結合されてよく、それらのバスは、電力バス、制御信号バス、状態信号バス、データバスなどを含み得る。明確にするために、様々なバスは、図15にバスシステム1519として示される。
【０１３０】
図16は、本発明のいくつかの実施形態による、無線通信機器1604内に含まれ得るいくつかのコンポーネントを示す。無線通信機器1604は、アクセス端末、移動局、ユーザ装置(UE)などであってよい。無線通信機器1604は、プロセッサ1603を含む。たとえば、無線通信機器1604は図1の無線通信機器104であり得る。
【０１３１】
プロセッサ1603は、汎用のシングルチップマイクロプロセッサまたはマルチチップマイクロプロセッサ(たとえばARM)、専用マイクロプロセッサ(たとえば、デジタル信号プロセッサ(DSP))、マイクロコントローラ、プログラマブルゲートアレイなどであってよい。プロセッサ1603は、中央処理装置(CPU)と呼ばれ得る。図16の無線通信機器1604には、1つのプロセッサ1603しか示されていないが、代替構成では、プロセッサの組合せ(たとえばARMとDSPなど)が使用されてもよい。
【０１３２】
無線通信機器1604は、メモリ1605も含む。メモリ1605は、電子情報を記憶することができる任意の電子コンポーネントであってよい。メモリ1605は、ランダムアクセスメモリ(RAM)、読取り専用メモリ(ROM)、磁気ディスク記憶媒体、光記憶媒体、RAMのフラッシュメモリ機器、プロセッサに含まれるオンボードメモリ、EPROMメモリ、EEPROMメモリ、レジスタなど、およびそれらの組合せを含んで具現化され得る。
【０１３３】
データ1607aおよび命令1609aはメモリ1605に記憶され得る。命令1609aは、本明細書で開示される方法を実施するように、プロセッサ1603によって実行可能であってよい。命令1609aを実行することは、メモリ1605に記憶されたデータ1607aの使用を伴う場合がある。プロセッサ1603が命令1609を実行すると、命令の様々な部分1609bがプロセッサ1603上にロードされてよく、データの様々な断片1607bがプロセッサ1603上にロードされてよい。
【０１３４】
無線通信機器1604は、アンテナ1617を介した無線通信機器1604との間の信号の送信および受信を可能にするための、送信機1611および受信機1613も含み得る。送信機1611と受信機1613は、送受信機1615と総称され得る。無線通信機器1604は、複数の送信機、複数のアンテナ、複数の受信機、および/または複数の送受信機も含み得る(図示せず)。
【０１３５】
無線通信機器1604は、デジタル信号プロセッサ(DSP)1621を含み得る。無線通信機器1604は、通信インターフェース1623も含み得る。通信インターフェース1623は、ユーザが無線通信機器1604と交流できるようにし得る。
【０１３６】
無線通信機器1604の様々なコンポーネントは、1つまたは複数のバスによって互いに結合されてよく、それらのバスは、電力バス、制御信号バス、状態信号バス、データバスなどを含み得る。明確にするために、様々なバスは、図16にバスシステム1619として示される。
【０１３７】
上記の説明では、時として参照番号が様々な用語に関連して使用されている。用語が参照番号に関連して使用される場合、これは、図のうちの1つまたは複数に示される特定の要素を指すことが意図される。用語が参照番号を伴わずに使用される場合、これは、いずれかの特定の図への限定を伴わずに、一般的にその用語を指すことが意図される。
【０１３８】
「判定する(determining)」という用語は、幅広い動作を含み、したがって、「判定すること」は、算出すること、計算すること、処理すること、導出すること、調査すること、検索すること(たとえば、テーブル、データベース、または別のデータ構造を検索すること)、確認することなどを含み得る。また、「決定すること」は、受信すること(たとえば、情報を受信すること)、アクセスすること(たとえば、メモリ内のデータにアクセスすること)などを含み得る。また、「決定すること」は、解決すること、選択すること、選ぶこと、確立することなどを含み得る。
【０１３９】
別段に明記されていない限り、「〜に基づいて」という句は、「〜のみに基づいて」を意味しない。言い換えれば、「〜に基づいて」という句は、「〜のみに基づいて」と「少なくとも〜に基づいて」の両方を表す。
【０１４０】
「プロセッサ」という用語は、汎用プロセッサ、中央処理装置(CPU)、マイクロプロセッサ、デジタル信号プロセッサ(DSP)、コントローラ、マイクロコントローラ、ステートマシンなどを含むように、広く解釈されるものとする。ある状況下では、「プロセッサ」は、特定用途向け集積回路(ASIC)、プログラマブル論理デバイス(PLD)、フィールドプログラマブルゲートアレイ(FPGA)、などを指し得る。「プロセッサ」という用語は、たとえば、DSPとマイクロプロセッサとの組合せ、複数のマイクロプロセッサ、DSPコアと連動する1つまたは複数のマイクロプロセッサ、または他の任意のそのような構成など、処理デバイスの組合せを指し得る。
【０１４１】
「メモリ」という用語は、電子情報を記憶することができる任意の電子部品を含むように、広く解釈されるものとする。メモリという用語は、ランダムアクセスメモリ(RAM)、読取り専用メモリ(ROM)、不揮発性ランダムアクセスメモリ(NVRAM)、プログラマブル読取り専用メモリ(PROM)、消去可能プログラマブル読取り専用メモリ(EPROM)、電気的消去可能PROM(EEPROM)、フラッシュメモリ、磁気式または光学式のデータストレージ、レジスタなどの、様々なタイプのプロセッサ可読媒体を指し得る。メモリは、プロセッサがメモリから情報を読み込み、かつ/またはメモリに情報を書き込むことができる場合、プロセッサと電子的に通信していると言われる。プロセッサと一体のメモリは、プロセッサと電子的に通信している。
【０１４２】
「命令」および「コード」という用語は、任意のタイプのコンピュータ可読命令文(statement)を含むように、広く解釈されるべきである。たとえば、「命令」および「コード」という用語は、1つまたは複数のプログラム、ルーチン、サブルーチン、関数、プロシージャなどを指し得る。「命令」および「コード」は、単一のコンピュータ可読命令文または多数のコンピュータ可読命令文を含み得る。
【０１４３】
本明細書で説明された機能は、ハードウェアによって実行されているソフトウェアまたはファームウェアで実装され得る。機能は、コンピュータ可読媒体に1つまたは複数の命令として記憶され得る。「コンピュータ可読媒体」または「コンピュータプログラム製品」という用語は、コンピュータまたはプロセッサによってアクセスされ得る任意の有形な記憶媒体を指す。限定ではなく、例として、コンピュータ可読媒体は、RAM、ROM、EEPROM、CD-ROMもしくは他の光ディスクストレージ、磁気ディスクストレージもしくは他の磁気記憶デバイス、または、命令もしくはデータ構造の形態で所望のプログラムコードを搬送または記憶できコンピュータによってアクセスされ得る任意の他の媒体を含み得る。本明細書で使用する場合、ディスク(disk)およびディスク(disc)は、コンパクトディスク(登録商標) (CD)、レーザーディスク(登録商標)、光ディスク、デジタル多用途ディスク(DVD)、フロッピー(登録商標)ディスク、およびブルーレイ(登録商標)ディスクを含み、ディスク(disk)は、通常、磁気的にデータを再生し、ディスク(disc)は、レーザーで光学的にデータを再生する。コンピュータ可読媒体は、有形であり非一時的であり得ることに留意されたい。「コンピュータプログラム製品」という用語は、コンピューティングデバイスまたはプロセッサによって実行され、処理され、または計算され得る、コードまたは命令(たとえば、「プログラム」)と組み合わされたコンピューティングデバイスまたはプロセッサを指す。本明細書で使用する場合、「コード」という用語は、コンピューティングデバイスまたはプロセッサによって実行可能な、ソフトウェア、命令、コード、またはデータを指し得る。
【０１４４】
ソフトウェアまたは命令はまた、伝送媒体を介して送信され得る。たとえば、ソフトウェアが同軸ケーブル、光ファイバケーブル、ツイストペア、デジタル加入者回線(DSL)、または赤外線、無線、およびマイクロ波などの無線技術を使用してウェブサイト、サーバ、または他のリモートソースから送信される場合、同軸ケーブル、光ファイバケーブル、ツイストペア、DSL、または赤外線、無線、およびマイクロ波などの無線技術は伝送媒体の定義内に含まれる。
【０１４５】
本明細書で開示された方法は、説明された方法を達成するための1つまたは複数のステップまたは動作を含む。方法のステップおよび/または動作は、それらであり得る。言い換えれば、説明されている方法の適切な操作のために、ステップまたは動作の特定の順序が必要とされない限り、特定のステップおよび/または動作の順序および/または使用は、特許請求の範囲から逸脱することなく修正され得る。
【０１４６】
さらに、たとえば図11〜図14によって示されるものなど、本明細書で説明される方法および技術を実行するためのモジュールおよび/または他の適切な手段は、ダウンロードされてよく、かつ/または場合によっては機器によって取得され得ることを理解されたい。たとえば、本明細書で説明される方法を実行するための手段の転送を容易にするために、機器がサーバに結合され得る。あるいは、本明細書で説明された様々な方法は、記憶手段(たとえば、ランダムアクセスメモリ(RAM)、読取り専用メモリ(ROM)、コンパクトディスク(登録商標) (CD)またはフロッピー(登録商標)ディスクなどの物理的記憶媒体など)を機器に結合または提供して、機器が様々な方法を得ることができるように、記憶手段を介して提供され得る。その上、本明細書で説明される方法および技術を機器に提供するための任意の他の適切な技術が利用されてもよい。
【０１４７】
特許請求の範囲は、上述した厳密な構成およびコンポーネントに限定されないことを理解されたい。特許請求の範囲から逸脱することなく、様々な修正、変更、および変形が行われ得る。
【符号の説明】
【０１４８】
100  無線通信システム
102  基地局
104  無線通信機器
106  地理的エリア
108a  より小さいエリア
108b  より小さいエリア
108c  より小さいエリア
110  システムコントローラ
201  データ
211  送信機
212  変調器
213  受信機
214  コントローラ/プロセッサ
216  メモリ
218  送信機
220  アンテナ
222  アンテナ
224  受信機
226  復調器
228  受信データプロセッサ
230  コントローラ/プロセッサ
232  復号されたデータ
234  送信データプロセッサ
236  メモリ
323  サンプリングクロック
324  受信機ユニット
325  受信チェーン
326  復調器
329  プリプロセッサ
331  入力フィルタ
333  データフィルタ
335  等化器/検出器
337  隣接チャネル干渉検出器
339  隣接チャネル干渉インジケータ
463  マルチフレーム
464  TDMAフレーム
465  バースト
500  スペクトル
600  無線機器
640  アンテナ
641  送信回路
642  電力増幅器
643  受信回路
644  電力コントローラ
645  復号プロセッサ
646  処理ユニット
647  メモリ
648  ソフトウェア
649  バスシステム
750  データソース
752  フレーム品質インジケータ/エンコーダ
754  インターリーバ
756  フレームフォーマット
758  変調器
760  ベースバンドからRFへの変換
761  アンテナ
762  信号
800  無線通信機器
802  基地局
804  無線通信機器
866  ページメッセージ送信モジュール
867  マルチフレーム(MF)送信モジュール
868  タイマーモジュール
869a  非DRxタイマー
869b  非DRxタイマー
871a  準非DRxタイマー
871b  準非DRxタイマー
874  ページメッセージ受信モジュール
875  マルチフレーム(MF)受信モジュール
880  ページンググループ
881  ページングインデックス
1084  ページング周期
1085  BCCH無線ブロック
1086  ページングインデックス
1087  無線ブロック
1502  基地局
1503  プロセッサ
1505  メモリ
1507a  データ
1507b  データ
1509a  命令
1509b  命令
1511  送信機
1513  受信機
1515  送受信機
1517  アンテナ
1521  デジタル信号プロセッサ
1523  通信インターフェース
1604  無線通信機器
1605  メモリ
1607a  データ
1607b  データ
1609a  命令
1609b  命令
1611  送信機
1613  受信機
1615  送受信機
1617  アンテナ
1621  デジタル信号プロセッサ
1623  通信インターフェース
【図１】
2015501618.tif 000009
【図２】
2015501618.tif 000010
【図３】
2015501618.tif 000011
【図４】
2015501618.tif 000012
【図５】
2015501618.tif 000013
【図６】
2015501618.tif 000014
【図７】
2015501618.tif 000015
【図８】
2015501618.tif 000016
【図９】
2015501618.tif 000017
【図１０】
2015501618.tif 000018
【図１１】
2015501618.tif 000019
【図１２】
2015501618.tif 000020
【図１３】
2015501618.tif 000021
【図１４】
2015501618.tif 000022
【図１５】
2015501618.tif 000023
【図１６】
2015501618.tif 000024
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
無線通信機器のための準非間欠受信モードを実行する方法であって、
準非間欠受信モードがネットワークによってサポートされていると判定するステップと、
準非間欠受信モードに入るステップと、
前記無線通信機器のページングインデックスに対応するマルチフレーム上の複数フレームページングブロックを監視するステップと、を有する方法。
【請求項２】
前記マルチフレームが51マルチフレームである請求項1に記載の方法。
【請求項３】
前記無線通信機器のページンググループに対応する前記ページングブロックが、報知パラメータによって決定される請求項1に記載の方法。
【請求項４】
前記無線通信機器のページンググループに対応する前記ページングブロックが、前記無線通信機器の国際移動体加入者識別番号によって決定される請求項1に記載の方法。
【請求項５】
準非間欠受信タイマーを始動するステップと、
前記準非間欠受信タイマーが満了したと判定するステップと、
間欠受信モードに入るステップと、
前記マルチフレーム上の報知制御チャネルブロックを監視するステップと、
前記無線通信機器のページングインデックスおよびページンググループに対応する前記マルチフレーム上の無線ブロックのみを監視するステップと、
をさらに有する請求項1に記載の方法。
【請求項６】
前記準非間欠受信タイマーが、NON-DRX-TIMER-MAXパラメータとNON-DRX-TIMERパラメータの最小値である請求項5に記載の方法。
【請求項７】
前記準非間欠受信タイマーが、SEMI-NON-DRX-TIMER-MAXパラメータとSEMI-NON-DRX-TIMERパラメータの最小値である、請求項5に記載の方法。
【請求項８】
前記準非間欠受信タイマーが、NON-DRX-TIMER-MAXパラメータとSEMI-NON-DRX-TIMERパラメータの最小値である請求項5に記載の方法。
【請求項９】
前記準非間欠受信タイマーが、SEMI-NON-DRX-TIMER-MAXパラメータとNON-DRX-TIMERパラメータの最小値である請求項5に記載の方法。
【請求項１０】
前記準非間欠受信タイマーが、前記無線通信機器によってサポートされる第1の準非間欠受信タイマーと前記ネットワークによってサポートされる第2の準非間欠受信タイマーの最小値である請求項5に記載の方法。
【請求項１１】
前記準非間欠受信タイマーが前記ネットワークによって提供される請求項5に記載の方法。
【請求項１２】
前記準非間欠受信タイマーが固定されている請求項5に記載の方法。
【請求項１３】
前記準非間欠受信タイマーが新しいタイマーである請求項5に記載の方法。
【請求項１４】
準非間欠受信モードの使用を示す無線リンク制御メッセージまたはメディアアクセス制御メッセージを受信するステップを、さらに有する請求項1に記載の方法。
【請求項１５】
前記無線通信機器によって実行される請求項1に記載の方法。
【請求項１６】
無線通信ネットワークのための準非間欠受信モードを実行する方法であって、
無線通信機器へのデータ送信要求を受信するステップと、
前記無線通信ネットワークおよび前記無線通信機器が準非間欠受信モードをサポートすると判定するステップと、
前記無線通信機器が準非間欠受信モードにあると判定するステップと、
前記無線通信機器のページングインデックスに対応するページングブロックを通じて割り当てを前記無線通信機器に送信するステップと、
前記無線通信機器のページングインデックスに対応するマルチフレーム上の複数フレームページングブロックを通じてページを前記無線通信機器に送信するステップと、
を有する方法。
【請求項１７】
前記割り当てがマルチフレーム上で送信される請求項16に記載の方法。
【請求項１８】
前記マルチフレームが51マルチフレームである請求項17に記載の方法。
【請求項１９】
前記ページがマルチフレーム上で送信される請求項16に記載の方法。
【請求項２０】
接続の確立のための手順を行うステップを、さらに有する請求項16に記載の方法。
【請求項２１】
基地局によって実行される請求項16に記載の方法。
【請求項２２】
前記無線通信機器の現在の状態を維持するステップを、さらに有する請求項16に記載の方法。
【請求項２３】
準非間欠受信モードの使用を示す無線リンク制御メッセージまたはメディアアクセス制御メッセージを送信するステップを、さらに有する請求項16に記載の方法。
【請求項２４】
準非間欠受信モードを実行するように構成される無線機器であって、
プロセッサと、
前記プロセッサと電子的に通信しているメモリと、
前記メモリに記憶される命令と、を有し、
前記命令が、前記プロセッサによって、
準非間欠受信モードがネットワークによってサポートされていると判定し、
準非間欠受信モードに入り、
無線通信機器のページングインデックスに対応するマルチフレーム上の複数フレームページングブロックを監視すること、
が実行可能である無線機器。
【請求項２５】
前記マルチフレームが51マルチフレームである請求項24に記載の無線機器。
【請求項２６】
前記無線機器のページンググループに対応する前記ページングブロックが、報知パラメータによって決定される請求項24に記載の無線機器。
【請求項２７】
前記無線機器のページンググループに対応する前記ページングブロックが、前記無線機器の国際移動体加入者識別番号によって決定される請求項24に記載の無線機器。
【請求項２８】
前記命令がさらに、
準非間欠受信タイマーを始動し、
前記準非間欠受信タイマーが満了したと判定し、
間欠受信モードに入り、
前記マルチフレーム上の報知制御チャネルブロックを監視し、
前記無線機器のページングインデックスおよびページンググループに対応する前記マルチフレーム上の無線ブロックのみを監視すること、
が実行可能である請求項24に記載の無線機器。
【請求項２９】
前記準非間欠受信タイマーが、NON-DRX-TIMER-MAXパラメータとNON-DRX-TIMERパラメータの最小値である請求項28に記載の無線機器。
【請求項３０】
前記準非間欠受信タイマーが、SEMI-NON-DRX-TIMER-MAXパラメータとSEMI-NON-DRX-TIMERパラメータの最小値である請求項28に記載の無線機器。
【請求項３１】
前記準非間欠受信タイマーが、NON-DRX-TIMER-MAXパラメータとSEMI-NON-DRX-TIMERパラメータの最小値である請求項28に記載の無線機器。
【請求項３２】
前記準非間欠受信タイマーが、SEMI-NON-DRX-TIMER-MAXパラメータとNON-DRX-TIMERパラメータの最小値である請求項28に記載の無線機器。
【請求項３３】
前記準非間欠受信タイマーが、前記無線機器によってサポートされる第1の準非間欠受信タイマーと前記ネットワークによってサポートされる第2の準非間欠受信タイマーの最小値である請求項28に記載の無線機器。
【請求項３４】
前記準非間欠受信タイマーが前記ネットワークによって提供される請求項28に記載の無線機器。
【請求項３５】
前記準非間欠受信タイマーが固定されている請求項28に記載の無線機器。
【請求項３６】
前記準非間欠受信タイマーが新しいタイマーである請求項28に記載の無線機器。
【請求項３７】
前記命令がさらに、準非間欠受信モードの使用を示すための無線リンク制御メッセージまたはメディアアクセス制御メッセージを受信することが、実行可能である請求項24に記載の無線機器。
【請求項３８】
前記無線機器が無線通信機器である請求項24に記載の無線機器。
【請求項３９】
準非間欠受信モードを実行するように構成される無線機器であって、
プロセッサと、
前記プロセッサと電子的に通信しているメモリと、
前記メモリに記憶される命令と、を備え、
前記命令が、前記プロセッサによって、
無線通信機器へのデータ送信要求を受信し、
ネットワークおよび前記無線通信機器が準非間欠受信モードをサポートすると判定し、
前記無線通信機器が準非間欠受信モードにあると判定し、
前記無線通信機器のページングインデックスに対応するページングブロックを通じて割り当てを前記無線通信機器に送信し、
前記無線通信機器のページングインデックスに対応するマルチフレーム上の複数フレームページングブロックを通じてページを前記無線通信機器に送信すること、
が実行可能である無線機器。
【請求項４０】
前記割り当てを送信するための命令がさらに、
マルチフレーム上で前記割り当てを送信するための命令、
を含む、請求項39に記載の無線機器。
【請求項４１】
前記マルチフレームが51マルチフレームである請求項40に記載の無線機器。
【請求項４２】
前記ページを送信するための前記命令がさらに、マルチフレーム上で前記ページを送信するための命令、
を含む請求項39に記載の無線機器。
【請求項４３】
前記命令がさらに、接続の確立のための手順を行うこと、
が実行可能である請求項39に記載の無線機器。
【請求項４４】
前記無線機器が基地局である請求項39に記載の無線機器。
【請求項４５】
前記命令がさらに、前記無線通信機器の現在の状態を維持すること、
が実行可能である請求項39に記載の無線機器。
【請求項４６】
前記命令がさらに、準非間欠受信モードの使用を示すための無線リンク制御メッセージまたはメディアアクセス制御メッセージを送信すること、
が実行可能である請求項39に記載の無線機器。
【請求項４７】
無線通信機器のための準非間欠受信モードを実行させるためのコンピュータプログラムであって、
前記無線通信機器に、準非間欠受信モードがネットワークによってサポートされると判定させるためのコードと、
前記無線通信機器に、準非間欠受信モードへ入らせるためのコードと、
前記無線通信機器に、前記無線通信機器のページングインデックスに対応するマルチフレーム上の複数フレームページングブロックを監視させるためのコードと、
を備えるコンピュータプログラム。
【請求項４８】
前記マルチフレームが51マルチフレームである請求項47に記載のコンピュータプログラム。
【請求項４９】
前記無線通信機器に、準非間欠受信タイマーを始動させるためのコードと、
前記無線通信機器に、前記準非間欠受信タイマーが満了したと判定させるためのコードと、
前記無線通信機器に、間欠受信モードへ入らせるためのコードと、
前記無線通信機器に、前記マルチフレーム上の報知制御チャネルブロックを監視させるためのコードと、
前記無線通信機器に、前記無線通信機器のページングインデックスおよびページンググループに対応する前記マルチフレーム上の無線ブロックのみを監視させるためのコードと、
をさらに備える請求項47に記載のコンピュータプログラム。
【請求項５０】
前記準非間欠受信タイマーが、SEMI-NON-DRX-TIMER-MAXパラメータとSEMI-NON-DRX-TIMERパラメータの最小値である請求項49に記載のコンピュータプログラム。
【請求項５１】
前記準非間欠受信タイマーが、前記無線通信機器によってサポートされる第1の準非間欠受信タイマーと前記ネットワークによってサポートされる第2の準非間欠受信タイマーの最小値である請求項49に記載のコンピュータプログラム。
【請求項５２】
前記準非間欠受信タイマーが前記ネットワークによって提供される請求項49に記載のコンピュータプログラム。
【請求項５３】
前記準非間欠受信タイマーが固定されている請求項49に記載のコンピュータプログラム。
【請求項５４】
無線通信ネットワークのための準非間欠受信モードを実行させるためのコンピュータプログラムであって、
無線機器に、無線通信機器へのデータ送信要求を受信させるためのコードと、
前記無線機器に、前記無線通信ネットワークおよび無線通信機器が準非間欠受信モードをサポートすると判定させるためのコードと、
前記無線機器に、前記無線通信機器が準非間欠受信モードにあると判定させるためのコードと、
前記無線機器に、前記無線通信機器のページングインデックスに対応するページングブロックを通じて割り当てを前記無線通信機器へ送信させるためのコードと、
前記無線機器に、前記無線通信機器のページングインデックスに対応するマルチフレーム上の複数フレームページングブロックを通じてページを前記無線通信機器へ送信させるためのコードと、
を含むコンピュータプログラム。
【請求項５５】
前記無線機器に割り当てを送信させるためのコードがさらに、前記無線機器にマルチフレーム上で前記割り当てを送信させるためのコード、
を含む請求項54に記載のコンピュータプログラム。
【請求項５６】
前記マルチフレームが51マルチフレームである請求項55に記載のコンピュータプログラム。
【請求項５７】
前記無線機器にページを送信させるための前記コードがさらに、前記無線機器にマルチフレーム上でページを送信させるためのコードを、
を含む請求項54に記載のコンピュータプログラム。
【請求項５８】
無線データを受信し送信するための通信インターフェースと、
前記通信インターフェースに動作可能に結合されたプロセッサと、
を備える無線機器であって、
前記プロセッサが、
準非間欠受信モードに入り、
無線通信機器のページングインデックスに対応するマルチフレーム上の複数フレームページングブロックのページを監視するように構成され、
準非間欠受信モードにあるページが、非間欠受信モードにある場合よりも高い頻度で、かつ間欠受信モードにある場合よりも低い頻度で読み取られる無線機器。
【請求項５９】
前記プロセッサがさらに、前記無線通信機器のページングインデックスに対応するマルチフレーム上の報知制御チャネルのページを監視するように構成され、
前記報知制御チャネルのページが、準非間欠受信モードにおいて、非間欠受信モードにある場合よりも高い頻度で、かつ間欠受信モードにある場合よりも低い頻度で読み取られる請求項58に記載の無線機器。
【請求項６０】
前記マルチフレームが51マルチフレームである請求項58に記載の無線機器。
【請求項６１】
前記プロセッサがさらに、
準非間欠受信タイマーを始動し、
前記準非間欠受信タイマーが満了したと判定し、
非間欠受信モードと間欠受信モードのうちの1つに入るように構成される請求項58に記載の無線機器。
【請求項６２】
前記準非間欠受信タイマーがネットワークによって提供される請求項61に記載の無線機器。
【請求項６３】
前記準非間欠受信タイマーが固定されている請求項61に記載の無線機器。
【請求項６４】
前記無線機器が前記無線通信機器である請求項58に記載の無線機器。
【請求項６５】
無線通信機器のための準非間欠受信モードを実行するための方法であって、
準非間欠受信モードに入るステップと、
無線通信機器のページングインデックスに対応するマルチフレーム上の複数フレームページングブロックのページを監視するステップと、を有し、
前記ページングブロックのページが、準非間欠受信モードにおいて、非間欠受信モードにある場合よりも高い頻度で、かつ間欠受信モードにある場合よりも低い頻度で読み取られる方法。
【請求項６６】
前記無線通信機器のページングインデックスに対応するマルチフレーム上の報知制御チャネルのページを監視するステップを、さらに有し、
前記報知制御チャネルのページが、準非間欠受信モードにおいて、非間欠受信モードにある場合よりも高い頻度で、かつ間欠受信モードにある場合よりも低い頻度で読み取られる請求項65に記載の方法。
【請求項６７】
前記マルチフレームが51マルチフレームである請求項65に記載の方法。
【請求項６８】
準非間欠受信タイマーを始動するステップと、
前記準非間欠受信タイマーが満了したと判定するステップと、
非間欠受信モードと間欠受信モードのうちの1つに入るステップと、
をさらに含む請求項65に記載の方法。
【請求項６９】
前記準非間欠受信タイマーがネットワークによって提供される請求項68に記載の方法。
【請求項７０】
前記準非間欠受信タイマーが固定されている請求項68に記載の方法。
【請求項７１】
前記無線通信機器によって実行される請求項65に記載の方法。
【請求項７２】
無線通信機器のための準非間欠受信モードを実行させるためのコンピュータプログラムであって、
前記無線通信機器に、準非間欠受信モードへ入らせるためのコードと、
前記無線通信機器に、前記無線通信機器のページングインデックスに対応するマルチフレーム上の複数フレームページングブロックのページを監視させるためのコードと、を有し、
前記ページングブロックのページが、準非間欠受信モードにおいて、非間欠受信モードにある場合よりも高い頻度で、かつ間欠受信モードにある場合よりも低い頻度で読み取られるコンピュータプログラム。
【請求項７３】
前記無線通信機器に、前記無線通信機器のページングインデックスに対応するマルチフレーム上の報知制御チャネルのページを監視させるためのコードをさらに備え、
前記報知制御チャネルのページが、準非間欠受信モードにおいて、非間欠受信モードにある場合よりも高い頻度で、かつ間欠受信モードにある場合よりも低い頻度で読み取られる請求項72に記載のコンピュータプログラム。
【請求項７４】
前記マルチフレームが51マルチフレームである請求項72に記載のコンピュータプログラム。
【請求項７５】
前記無線通信機器に、準非間欠受信タイマーを始動させるためのコードと、
前記無線通信機器に、前記準非間欠受信タイマーが満了したと判定させるためのコードと、
前記無線通信機器に、非間欠受信モードと間欠受信モードのうちの1つへ入らせるためのコードとを含む請求項72に記載のコンピュータプログラム。
【請求項７６】
前記準非間欠受信タイマーがネットワークによって提供される請求項75に記載のコンピュータプログラム。
【請求項７７】
前記準非間欠受信タイマーが固定されている請求項75に記載のコンピュータプログラム。
【請求項７８】
準非間欠受信モードを実行するように構成される無線通信機器であって、
準非間欠受信モードがネットワークによってサポートされていると判定するための手段と、
準非間欠受信モードに入るための手段と、
前記無線通信機器のページングインデックスに対応するマルチフレーム上の複数フレームページングブロックを監視するための手段と、
を備える無線通信機器。
【請求項７９】
前記マルチフレームが51マルチフレームである請求項78に記載の無線通信機器。
【請求項８０】
準非間欠受信タイマーを始動するための手段と、
前記準非間欠受信タイマーが満了したと判定するための手段と、
間欠受信モードに入るための手段と、
前記マルチフレーム上の報知制御チャネルブロックを監視するための手段と、
前記無線通信機器のページングインデックスおよびページンググループに対応する前記マルチフレーム上の無線ブロックのみを監視するための手段と、
をさらに備える請求項78に記載の無線通信機器。
【請求項８１】
前記準非間欠受信タイマーが、SEMI-NON-DRX-TIMER-MAXパラメータとSEMI-NON-DRX-TIMERパラメータの最小値である請求項80に記載の無線通信機器。
【請求項８２】
前記準非間欠受信タイマーが、前記無線通信機器によってサポートされる第1の準非間欠受信タイマーと前記ネットワークによってサポートされる第2の準非間欠受信タイマーの最小値である請求項80に記載の無線通信機器。
【請求項８３】
前記準非間欠受信タイマーが前記ネットワークによって提供される請求項80に記載の無線通信機器。
【請求項８４】
前記準非間欠受信タイマーが固定されている請求項80に記載の無線通信機器。
【請求項８５】
準非間欠受信モードを実行するように構成される無線機器であって、
無線通信機器にデータ送信要求を受信するための手段と、
無線通信ネットワークおよび前記無線通信機器が準非間欠受信モードをサポートすると判定するための手段と、
前記無線通信機器が準非間欠受信モードにあると判定するための手段と、
前記無線通信機器のページングインデックスに対応するページングブロックを通じて割り当てを前記無線通信機器に送信するための手段と、
前記無線通信機器のページングインデックスに対応するマルチフレーム上の複数フレームページングブロックを通じてページを前記無線通信機器に送信するための手段と、
を備える無線機器。
【請求項８６】
前記割り当てを送信するための手段がさらに、
マルチフレーム上で前記割り当てを送信するための手段、
を備える請求項85に記載の無線機器。
【請求項８７】
前記マルチフレームが51マルチフレームである請求項86に記載の無線機器。
【請求項８８】
前記ページを送信するための手段がさらに、
マルチフレーム上で前記ページを送信するための手段
を含む請求項85に記載の無線機器。
【請求項８９】
前記無線通信機器の現在の状態を維持するための手段を、さらに含む請求項85に記載の無線機器。
【国際調査報告】
2015501618.tif 000025
2015501618.tif 000026
2015501618.tif 000027